(57)【要約】【課題】無線通信システムで端末によって参照信号を送受信する方法及び装置に関する。【解決手段】本発明によれば、端末は、基地局から下向きリンク制御情報を受信し、下向きリンク制御情報に基づいて、複数のアンテナポートを介して復調参照信号（ＤＭＲＳ）及び下向きリンクデータを受信する。端末は、復調参照信号に基づいて、下向きリンクデータを復調し、下向きリンクデータは、下向きリンクデータと関連したシンボルの個数によって復調参照信号と同じシンボルまたは互いに異なるシンボルで受信される方法及び装置を提供できる。【選択図】図１６
2019535155.tif 000002
【特許請求の範囲】
【請求項１】
無線通信システムで端末によって参照信号を送受信する方法において、
基地局から下向きリンク制御情報を受信するステップと、
前記下向きリンク制御情報に基づいて、複数のアンテナポートを介して復調参照信号（ＤＭＲＳ）及び下向きリンクデータを受信するステップと、
前記復調参照信号に基づいて、前記下向きリンクデータを復調するステップと、
を含み、
前記下向きリンクデータは、前記下向きリンクデータと関連したシンボルの個数によって前記復調参照信号と同じシンボルまたは互いに異なるシンボルで受信される、方法。
【請求項２】
前記復調参照信号の送信電力は、前記復調参照信号が前記下向きリンクデータと前記同じシンボルで受信されるか否かによって決定される、請求項１に記載の方法。
【請求項３】
前記復調参照信号の送信電力は、前記復調参照信号が前記下向きリンクデータと前記同じシンボルで受信される場合、「０」ｄＢ電力ブースティングされ、そうでない場合、「３」ｄＢ電力ブースティングされる、請求項２に記載の方法。
【請求項４】
前記下向きリンク制御情報は、前記下向きリンクデータが受信されない前記復調参照信号のｃｏｍｂ情報を含み、
前記下向きリンクデータが受信されない前記復調参照信号のｃｏｍｂで前記復調参照信号とチャネル状態情報参照信号とが同じシンボルで共に受信されないように、前記チャネル状態情報参照信号の送信が制限される、請求項１に記載の方法。
【請求項５】
前記復調参照信号が受信されるシンボルに含まれた資源要素のうち、前記復調参照信号が受信されない全ての資源要素では、前記下向きリンクデータが受信される、請求項１に記載の方法。
【請求項６】
前記復調参照信号が複数個のシンボルで受信される場合、前記複数個のシンボルは、各々互いに異なるレートマッチングが適用される、請求項１に記載の方法。
【請求項７】
前記復調参照信号は、前記復調参照信号が受信される前記複数個のシンボルによって各々互いに異なる送信パワーを介して受信される、請求項６に記載の方法。
【請求項８】
無線通信システムにおける参照信号を送受信する端末において、
無線信号を送受信するためのＲＦモジュールと、
前記ＲＦモジュールを制御するプロセッサと、
を備え、
前記プロセッサは、
基地局から下向きリンク制御情報を受信し、
前記下向きリンク制御情報に基づいて、複数のアンテナポートを介して復調参照信号（ＤＭＲＳ）及び下向きリンクデータを受信し、
前記復調参照信号に基づいて、前記下向きリンクデータを復調し、
前記下向きリンクデータは、前記下向きリンクデータと関連したシンボルの個数によって前記復調参照信号と同じシンボルまたは互いに異なるシンボルで受信される、端末。
【請求項９】
前記復調参照信号の送信電力は、前記復調参照信号が前記下向きリンクデータと前記同じシンボルで受信されるか否かによって決定される、請求項８に記載の端末。
【請求項１０】
前記復調参照信号の送信電力は、前記復調参照信号が前記下向きリンクデータと前記同じシンボルで受信される場合、「０」ｄＢ電力ブースティングされ、そうでない場合、「３」ｄＢ電力ブースティングされる、請求項９に記載の端末。
【請求項１１】
前記下向きリンク制御情報は、前記下向きリンクデータが受信されない前記復調参照信号のｃｏｍｂ情報を含み、
前記下向きリンクデータが受信されない前記復調参照信号のｃｏｍｂで前記復調参照信号とチャネル状態情報参照信号とが同じシンボルで共に受信されないように、前記チャネル状態情報参照信号の送信が制限される、請求項８に記載の端末。
【請求項１２】
前記復調参照信号が受信されるシンボルに含まれた資源要素のうち、前記復調参照信号が受信されない全ての資源要素では、前記下向きリンクデータが受信される、請求項８に記載の端末。
【請求項１３】
前記復調参照信号が複数個のシンボルで受信される場合、前記複数個のシンボルは、各々互いに異なるレートマッチングが適用される、請求項８に記載の端末。
【請求項１４】
前記復調参照信号は、前記復調参照信号が受信される前記複数個のシンボルによって各々互いに異なる送信パワーを介して受信される、請求項１３に記載の方法。
【発明の詳細な説明】
【技術分野】
【０００１】
本発明は、無線通信システムに関し、より詳細には、無線通信システムにおける復調参照信号の送信のための送信パワーを決定するための方法及び装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり送信率の画期的な増加、大幅増加した連結デバイス個数の収容、非常に低い端対端遅延（End-to-End Latency）、高エネルギー効率を支援できなければならない。そのために、二重連結性（Dual Connectivity）、大規模多重入出力（Massive MIMO：Massive Multiple Input Multiple Output）、全二重（In-band Full Duplex）、非直交多重接続（NOMA：Non-Orthogonal Multiple Access）、超広帯域（Super wideband）支援、端末ネットワーキング（Device Networking）など、様々な技術が研究されている。
【発明の概要】
【発明が解決しようとする課題】
【０００４】
本発明は、無線通信システムにおける復調参照信号（Ｄｅｍｏｄｕｌａｔｉｏｎ  Ｒｅｆｅｒｅｎｃｅ  Ｓｉｇｎａｌ：ＤＭＲＳ）を送受信するための方法及び装置を提供することにその目的がある。
【０００５】
また、本発明は、無線通信システムにおける復調参照信号を資源要素（Ｒｅｓｏｕｒｃｅ  Ｅｌｅｍｅｎｔ：ＲＥ）にマッピングさせるための方法及び装置を提供することにその目的がある。
【０００６】
また、本発明は、資源要素にマッピングされた復調参照信号を送信するための送信パワーを決定するための方法及び装置を提供することにその目的がある。
【０００７】
また、本発明は、復調参照信号を送信するためのアンテナポートを多重化（Ｍｕｌｔｉｐｌｅｘｉｎｇ）するための方法及び装置を提供することにその目的がある。
【０００８】
また、本発明は、復調参照信号と下向きリンクデータ及び他の参照信号を共に送信するための方法及び装置を提供することにその目的がある。
【０００９】
また、本発明は、復調参照信号を送信するための送信パワーを決定するにあたって、復調参照信号のマッピングパターン、他の参照信号、及び下向きリンクデータの送信可否を考慮する方法及び装置を提供することにその目的がある。
【００１０】
本明細書においてなそうとする技術的課題は、以上で言及した技術的課題に制限されず、言及していないさらに他の技術的課題は、下記の記載から本発明の属する技術分野における通常の知識を有する者に明確に理解され得るであろう。
【課題を解決するための手段】
【００１１】
上述した技術的課題を解決するために、本発明の実施形態に係る無線通信システムで端末によって参照信号（Ｒｅｆｅｒｅｎｃｅ  Ｓｉｇｎａｌ）を送受信する方法は、基地局から下向きリンク制御情報（Ｄｏｗｎｌｉｎｋ  Ｃｏｎｔｒｏｌ  Ｉｎｆｏｒｍａｔｉｏｎ）を受信するステップと、前記下向きリンク制御情報に基づいて、複数のアンテナポートを介して復調参照信号（Ｄｅｍｏｄｕｌａｔｉｏｎ  Ｒｅｆｅｒｅｎｃｅ  Ｓｉｇｎａｌ：ＤＭＲＳ）及び下向きリンクデータを受信するステップと、前記復調参照信号に基づいて、前記下向きリンクデータを復調するステップとを含み、前記下向きリンクデータは、前記下向きリンクデータと関連したシンボルの個数によって前記復調参照信号と同じシンボルまたは互いに異なるシンボルで受信される。
【００１２】
また、本発明において、前記復調参照信号の送信電力は、前記復調参照信号が前記下向きリンクデータと前記同じシンボルで受信されるか否かによって決定される。
【００１３】
また、本発明において、前記復調参照信号の送信電力は、前記復調参照信号が前記下向きリンクデータと前記同じシンボルで受信される場合、「０」ｄＢ電力ブースティングされ、そうでない場合、「３」ｄＢ電力ブースティングされる。
【００１４】
また、本発明において、前記下向きリンク制御情報は、前記下向きリンクデータが受信されない前記復調参照信号のｃｏｍｂ情報を含み、前記下向きリンクデータが受信されない前記復調参照信号のｃｏｍｂで前記復調参照信号とチャネル状態情報（Ｃｈａｎｎｅｌ  Ｓｔａｔｅ  Ｉｎｆｏｒｍａｔｉｏｎ）参照信号とが同じシンボルで共に受信されないように、前記チャネル状態情報参照信号の送信が制限される。
【００１５】
また、本発明において、前記復調参照信号が受信されるシンボルに含まれた資源要素のうち、前記復調参照信号が受信されない全ての資源要素では、前記下向きリンクデータが受信される。
【００１６】
また、本発明において、前記復調参照信号が複数個のシンボルで受信される場合、前記複数個のシンボルは、各々互いに異なるレートマッチング（Ｒａｔｅ  Ｍａｔｃｈｉｎｇ）が適用される。
【００１７】
また、本発明において、前記復調参照信号は、前記復調参照信号が受信される前記複数個のシンボルによって各々互いに異なる送信パワーを介して受信される。
【００１８】
また、本発明は、無線信号を送受信するためのＲＦ（Ｒａｄｉｏ  Ｆｒｅｑｕｅｎｃｙ）モジュールと、前記ＲＦモジュールを制御するプロセッサとを備え、前記プロセッサは、基地局から下向きリンク制御情報（Ｄｏｗｎｌｉｎｋ  Ｃｏｎｔｒｏｌ  Ｉｎｆｏｒｍａｔｉｏｎ）を受信し、前記下向きリンク制御情報に基づいて、複数のアンテナポートを介して復調参照信号（Ｄｅｍｏｄｕｌａｔｉｏｎ  Ｒｅｆｅｒｅｎｃｅ  Ｓｉｇｎａｌ：ＤＭＲＳ）及び下向きリンクデータを受信し、前記復調参照信号に基づいて、前記下向きリンクデータを復調し、前記下向きリンクデータは、前記下向きリンクデータと関連したシンボルの個数によって前記復調参照信号と同じシンボルまたは互いに異なるシンボルで受信される端末を提供する。
【発明の効果】
【００１９】
本発明の一実施形態によれば、データの送信と関連したスロットのシンボルによって下向きリンクデータとＤＭＲＳとを共に送信できるという効果がある。
【００２０】
また、本発明の一実施形態によれば、下向きリンクデータを送信する資源のサイズが大きい場合、下向きリンクデータとＤＭＲＳとを共に送信しないことにより、ＤＭＲＳの送信パワーをブースティングできるという効果がある。
【００２１】
また、本発明の一実施形態によれば、データとともに送信されないＤＭＲＳがマッピングされたアンテナポートのグループの個数によってＤＭＲＳのパワーブースティングサイズを調節することにより、ＤＭＲＳの送信パワーを効率的に決定できる。
【００２２】
また、本発明の一実施形態によれば、ＤＭＲＳがＲＥにマッピングされるマッピングパターンによって、ＤＭＲＳがマッピングされるシンボルに他の参照信号またはデータをマッピングしないことにより、効率的にＤＭＲＳのパワーブースティングができるという効果がある。
【００２３】
また、本発明の一実施形態によれば、ＤＭＲＳのマッピングパターンによって、ＤＭＲＳが送信されるアンテナポートの多重化方法を決定できるという効果がある。
【００２４】
本明細書において得ることができる効果は、以上で言及した効果に制限されず、言及していないさらに他の効果は、下記の記載から本発明の属する技術分野における通常の知識を有する者に明確に理解され得るであろう。
【図面の簡単な説明】
【００２５】
本発明に関する理解を助けるために詳細な説明の一部として含まれる添付図面は、本発明に対する実施形態を提供し、詳細な説明と共に本発明の技術的特徴を説明する。
【００２６】
【図１】本明細書において提案する方法が適用できるNRの全体的なシステム構造の一例を示した図である。
【図２】本明細書において提案する方法が適用できる無線通信システムにおけるアップリンクフレームとダウンリンクフレームとの間の関係を示す。
【図３】本明細書において提案する方法が適用できる無線通信システムで支援する資源グリッド（resource grid）の一例を示す。
【図４】本明細書において提案する方法が適用され得るアンテナポート及びヌメロロジー別資源グリッドの例を示す。
【図５】本明細書において提案する方法が適用され得るｓｅｌｆ−ｃｏｎｔａｉｎｅｄ  ｓｌｏｔ構造の一例を示した図である。
【図６】本明細書において提案する方法が適用され得る復調参照信号のマッピングパターンの一例を示す図である。
【図７】本明細書において提案する復調参照信号がタイプ１によってマッピングされる場合、送信パワーの一例を示す図である。
【図８】本明細書において提案する復調参照信号がタイプ１によってマッピングされる場合、送信パワーの一例を示す図である。
【図９】本明細書において提案する復調参照信号がタイプ１によってマッピングされる場合、送信パワーの一例を示す図である。
【図１０】本明細書において提案する復調参照信号がタイプ２によってマッピングされる場合、送信パワーの一例を示す図である。
【図１１】本明細書において提案する復調参照信号がタイプ２によってマッピングされる場合、送信パワーの一例を示す図である。
【図１２】本明細書において提案する復調参照信号がタイプ２によってマッピングされる場合、送信パワーの一例を示す図である。
【図１３】本明細書において提案する復調参照信号がタイプ２によってマッピングされる場合、送信パワーの一例を示す図である。
【図１４】本明細書において提案する復調参照信号がタイプ２によってマッピングされる場合、送信パワーの一例を示す図である。
【図１５】本明細書において提案する復調参照信号とチャネル状態情報参照信号とを共に送信するためのマッピング方法の一例を示す図である。
【図１６】本明細書において提案する端末が復調参照信号を送受信するための方法の一例を示す順序図である。
【図１７】本明細書において提案する方法が適用され得る無線通信装置のブロック構成図を例示する。
【図１８】本発明の一実施形態に係る通信装置のブロック構成図を例示する。
【図１９】本明細書において提案する方法が適用され得る無線通信装置のＲＦモジュールの一例を示した図である。
【図２０】本明細書において提案する方法が適用され得る無線通信装置のＲＦモジュールのさらに他の一例を示した図である。
【発明を実施するための形態】
【００２７】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００２８】
幾つかの場合、本発明の概念が曖昧になることを避けるために公知の構造及び装置は省略されるか、または各構造及び装置の核心機能を中心としたブロック図形式に図示できる。
【００２９】
本明細書で、基地局は端末と直接的に通信を遂行するネットワークの終端ノード（terminal node）としての意味を有する。本文書で、基地局により遂行されるものとして説明された特定動作は、場合によっては、基地局の上位ノード（upper node）により遂行されることもできる。即ち、基地局を含む複数のネットワークノード（network nodes）からなるネットワークで、端末との通信のために遂行される様々な動作は基地局または基地局の以外の他のネットワークノードにより遂行できることは自明である。‘基地局（BS：Base Station）’は、固定局（fixed station）、Node B、eNB（evolved-NodeB）、BTS（base transceiver system）、アクセスポイント（AP：Access Point）、gNB（general NB）などの用語により取替できる。また、‘端末（Terminal）’は固定されるか、または移動性を有することができ、UE（User Equipment）、MS（Mobile Station）、UT（user terminal）、MSS（Mobile Subscriber Station）、SS（Subscriber Station）、AMS（Advanced Mobile Station）、WT（Wireless terminal）、MTC（Machine-Type Communication）装置、M2M（Machine-to-Machine）装置、D2D（Device-to-Device）装置などの用語に取替できる。
【００３０】
以下、ダウンリンク（DL：downlink）は基地局から端末への通信を意味し、アップリンク（UL：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３１】
以下の説明で使用される特定用語は本発明の理解を助けるために提供されたものであり、このような特定用語の使用は本発明の技術的思想を逸脱しない範囲で異なる形態に変更できる。
【００３２】
以下の技術は、CDMA（code division multiple access）、FDMA（frequency division multiple access）、TDMA（time division multiple access）、OFDMA（orthogonal frequency division multiple access）、SC-FDMA（single carrier frequency division multiple access）、NOMA（non-orthogonalmultipleaccess）などの様々な無線接続システムに利用できる。CDMAは、UTRA（universal terrestrial radio access）やCDMA２０００のような無線技術（radio technology）で実現できる。TDMAは、GSM（global system for mobile communications）／GPRS（general packet radio service）／EDGE（enhanced data rates for GSM evolution）のような無線技術で実現できる。OFDMAは、IEEE ８０２．１１（WiFi）、IEEE ８０２．１６（WiMAX）、IEEE ８０２-２０、E-UTRA（evolved UTRA）などの無線技術で実現できる。UTRAは、UMTS（universal mobile telecommunications system）の一部である。３GPP（3rd generation partnership project）LTE（longterm evolution）は、E-UTRAを使用するE-UMTS（evolved UMTS）の一部であって、ダウンリンクでOFDMAを採用し、アップリンクでSC-FDMAを採用する。LTE-A（advanced）は３GPP LTEの進化である。
【００３３】
また, ５G NRは、usage scenarioによってeMBB（enhanced Mobile Broadband）、mMTC（massive Machine Type Communications）、URLLC（Ultra-Reliable and Low Latency Communications）、V2X（vehicle-to-everything）を定義する。
【００３４】
そして、５G NR規格（standard）はNRシステムとLTEシステムとの間の共存（co-existence）によってstandalone（SA）とnon standalone（NSA）とに区分する。
【００３５】
そして、５G NRは様々なサブキャリア間隔（subcarrier spacing）を支援し、ダウンリンクでCP-OFDMを、アップリンクでCP-OFDM及びDFT-s-OFDM（SC-OFDM）を支援する。
【００３６】
本発明の実施形態は無線接続システムであるIEEE ８０２、３GPP、及び３GPP２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３７】
説明を明確にするために、３GPP LTE／LTE, NR( New RAT) を中心として技術するが、本発明の技術的特徴がこれに制限されるものではない。
【００３８】
用語の定義
【００３９】
eLTE eNB：eLTE eNBは、EPC（Evolved Packet Core）及びNGC（Next Generation Core）に対する連結を支援するeNBの進化（evolution）である。
【００４０】
gNB：NGCとの連結だけでなく、NRを支援するノード。
【００４１】
新たなRAN：NRまたはE-UTRAを支援するか、またはNGCと相互作用する無線アクセスネットワーク。
【００４２】
ネットワークスライス（network slice）：ネットワークスライスは、終端間の範囲と共に特定要求事項を要求する特定市場シナリオに対して最適化されたソリューションを提供するようにoperatorにより定義されたネットワーク。
【００４３】
ネットワーク機能（network function）：ネットワーク機能は、よく定義された外部インターフェースとよく定義された機能的動作を有するネットワークインフラ内での論理的ノード。
【００４４】
NG-C：新たなRANとNGCとの間のNG２レファレンスポイント（reference point）に使用される制御平面インターフェース。
【００４５】
NG-U：新たなRANとNGCとの間のNG３レファレンスポイント（reference point）に使用されるユーザ平面インターフェース。
【００４６】
非独立型（Non-standalone）NR：gNBがLTE eNBをEPCに制御プレーン連結
のためのアンカーとして要求するか、またはeLTE eNBをNGCに制御プレーン連結のためのアンカーとして要求する配置構成。
【００４７】
非独立型E-UTRA：eLTE eNBがNGCに制御プレーン連結のためのアンカーとしてgNBを要求する配置構成。
【００４８】
ユーザ平面ゲートウェイ：NG-Uインターフェースの終端点。
【００４９】
システム一般
【００５０】
図１は、本明細書で提案する方法が適用できるNRの全体的なシステム構造の一例を示した図である。
【００５１】
図１を参照すると、NG-RANはNG-RAユーザ平面（新たなAS sublayer／PDCP／RLC／MAC／PHY）及びUE（User Equipment）に対する制御平面（RRC）プロトコル終端を提供するgNBで構成される。
【００５２】
前記gNBは、Xnインターフェースを通じて相互連結される。
【００５３】
また、前記gNBは、NGインターフェースを通じてNGCに連結される。
【００５４】
より具体的には、前記gNBはN２インターフェースを通じてAMF（Access and Mobility Management Function）に、N３インターフェースを通じてUPF（User Plane Function）に連結される。
【００５５】
NRヌメロロジー（Numerology）及びフレーム（frame）構造
【００５６】
NRシステムでは、複数のヌメロロジー（numerology）が支援できる。ここで、ヌメロロジーはサブキャリア間隔（subcarrier spacing）とCP（Cyclic Prefix）オーバーヘッドにより定義できる。この際、複数のサブキャリア間隔は基本サブキャリア間隔を整数N（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００５７】
また、NRシステムでは複数のヌメロロジーに従う様々なフレーム構造が支援できる。
【００５８】
以下、NRシステムで考慮できるOFDM（Orthogonal Frequency Division Multiplexing）ヌメロロジー及びフレーム構造を説明する。
【００５９】
NRシステムで支援される複数のOFDMヌメロロジーは、表１のように定義できる。
【００６０】
【表１】
2019535155.tif 000003
【００６１】
NRシステムにおけるフレーム構造（frame structure）と関連して、時間領域の様々なフィールドのサイズは
2019535155.tif 000004
の時間単位の倍数として表現される。ここで、
2019535155.tif 000005
であり、
2019535155.tif 000006
である。ダウンリンク（downlink）及びアップリンク（uplink）転送は
2019535155.tif 000007
の区間を有する無線フレーム（radio frame）で構成される。ここで、無線フレームは各々
2019535155.tif 000008
の区間を有する１０個のサブフレーム（subframe）で構成される。この場合、アップリンクに対する１セットのフレーム及びダウンリンクに対する１セットのフレームが存在することができる。
【００６２】
図２は、本明細書で提案する方法が適用できる無線通信システムにおけるアップリンクフレームとダウンリンクフレームとの間の関係を示す。
【００６３】
図２に示すように、端末（User Equipment、UE）からのアップリンクフレーム番号iの転送は、当該端末での該当ダウンリンクフレームの開始より
2019535155.tif 000009
以前に始めなければならない。
【００６４】
ヌメロロジーμに対して、スロット（slot）はサブフレーム内で
2019535155.tif 000010
の増加する順に番号が付けられて、無線フレーム内で
2019535155.tif 000011
の増加する順に番号が付けられる。１つのスロットは
2019535155.tif 000012
の連続するOFDMシンボルで構成され、
2019535155.tif 000013
は用いられるヌメロロジー及びスロット設定（slot configuration）によって決定される。サブフレームでスロット
2019535155.tif 000014
の開始は同一サブフレームでOFDMシンボル
2019535155.tif 000015
の開始と時間的に整列される。
【００６５】
全ての端末が同時に送信及び受信できるものではなく、これはダウンリンクスロット（downlink slot）またはアップリンクスロット（uplink slot）の全てのOFDMシンボルが利用できないことを意味する。
【００６６】
表２はヌメロロジーμでの一般（normal）CPに対するスロット当たりOFDMシンボルの数を示し、表３はヌメロロジーμでの拡張（extended）CPに対するスロット当たりOFDMシンボルの数を示す。
【００６７】
【表２】
2019535155.tif 000016
【００６８】
【表３】
2019535155.tif 000017
【００６９】
NR物理資源（NR Physical Resource）
【００７０】
NRシステムにおける物理資源（physical resource）と関連して、アンテナポート（antenna port）、資源グリッド（resource grid）、資源要素（resource element）、資源ブロック（resource block）、キャリアパート（carrier part）などが考慮できる。
【００７１】
以下、NRシステムで考慮できる前記物理資源に対して具体的に説明する。
【００７２】
先に、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（large-scale property）が他のアンテナポート上のシンボルが運搬されるチャンネルから類推できる場合、２つのアンテナポートはQC／QCL（quasico-locatedまたはquasi co-location）関係にあるということができる。ここで、前記広範囲特性は遅延拡散（Delay spread）、ドップラー拡散（Doppler spread）、周波数シフト（Frequency shift）、平均受信パワー（Average received power）、受信タイミング（Received Timing）のうち、１つ以上を含む。
【００７３】
図３は、本明細書において提案する方法が適用され得る無線通信システムで支援する資源グリッド（ｒｅｓｏｕｒｃｅ  ｇｒｉｄ）の一例を示す。
【００７４】
図３に示すように、資源グリッドが周波数領域上に
2019535155.tif 000018
サブキャリアで構成され、１つのサブフレームが１４・２μ  ＯＦＤＭシンボルで構成されることを例示的に技術するが、これに限定されるものではない。
【００７５】
ＮＲシステムにおいて、送信される信号（ｔｒａｎｓｍｉｔｔｅｄ  ｓｉｇｎａｌ）は、
2019535155.tif 000019
サブキャリアで構成される１つまたはそれ以上の資源グリッド及び
2019535155.tif 000020
のＯＦＤＭシンボルにより説明される。ここで、
2019535155.tif 000021
である。前記
2019535155.tif 000022
は、最大送信帯域幅を表し、これは、ヌメロロジーだけでなく、上向きリンクと下向きリンクとの間にも変わることができる。
【００７６】
この場合、図３のように、ヌメロロジー
2019535155.tif 000023
及びアンテナポートｐ別に１つの資源グリッドが設定され得る。
【００７７】
図４は、本明細書において提案する方法が適用され得るアンテナポート及びヌメロロジー別資源グリッドの例を示す。
【００７８】
ヌメロロジー
2019535155.tif 000024
及びアンテナポートｐに対する資源グリッドの各要素は、資源要素（ｒｅｓｏｕｒｃｅ  ｅｌｅｍｅｎｔ）と称され、インデックス対
2019535155.tif 000025
により固有的に識別される。ここで、
2019535155.tif 000026
は、周波数領域上のインデックスであり、
2019535155.tif 000027
は、サブフレーム内でシンボルの位置を称する。スロットで資源要素を称するときには、インデックス対
2019535155.tif 000028
が用いられる。ここで、
2019535155.tif 000029
である。
【００７９】
ヌメロロジー
2019535155.tif 000030
及びアンテナポートｐに対する資源要素
2019535155.tif 000031
は、複素値（ｃｏｍｐｌｅｘ  ｖａｌｕｅ）
2019535155.tif 000032
に該当する。混同（ｃｏｎｆｕｓｉｏｎ）される危険がない場合、あるいは特定アンテナポートまたはヌメロロジーが特定されなかった場合には、インデックスｐ及び
2019535155.tif 000033
は、ドロップ（ｄｒｏｐ）されることができ、その結果、複素値は、
2019535155.tif 000034
または
2019535155.tif 000035
になることができる。
【００８０】
また、物理資源ブロック（ｐｈｙｓｉｃａｌ  ｒｅｓｏｕｒｃｅ  ｂｌｏｃｋ）は、周波数領域上の
2019535155.tif 000036
連続的なサブキャリアで定義される。周波数領域上で、物理資源ブロックは、０から
2019535155.tif 000037
まで番号が付けられる。このとき、周波数領域上の物理資源ブロック番号（ｐｈｙｓｉｃａｌ  ｒｅｓｏｕｒｃｅ  ｂｌｏｃｋ  ｎｕｍｂｅｒ）
2019535155.tif 000038
と資源要素
2019535155.tif 000039
との間の関係は、数式１のように与えられる。
【００８１】
【数１】
2019535155.tif 000040
【００８２】
また、キャリアパート（ｃａｒｒｉｅｒ  ｐａｒｔ）と関連して、端末は、資源グリッドのサブセット（ｓｕｂｓｅｔ）だけを用いて受信または送信するように設定されることができる。このとき、端末が受信または送信するように設定された資源ブロックの集合（ｓｅｔ）は、周波数領域上で０から
2019535155.tif 000041
まで番号が付けられる。
【００８３】
以下、本明細書において提案する方法を具体的に説明するに先立ち、本明細書において提案する方法等と直／間接的に関連した内容について先に簡略に説明する。
【００８４】
５Ｇ、Ｎｅｗ  Ｒａｔ（ＮＲ）等、次世代通信では、より多くの通信機器等がより大きい通信容量を要求することにより、既存のｒａｄｉｏ  ａｃｃｅｓｓ  ｔｅｃｈｎｏｌｏｇｙ（ＲＡＴ）に比べて向上したｍｏｂｉｌｅ  ｂｒｏａｄｂａｎｄ通信に対する必要性が台頭されている。
【００８５】
また、複数の機器及び事物を連結して、いつ、どこでも様々なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）も次世代通信で考慮される主なイッシューのうちの１つである。
【００８６】
さらに、信頼性（ｒｅｌｉａｂｉｌｉｔｙ）及び遅延（ｌａｔｅｎｃｙ）に敏感なサービス及び／又は端末（ＵＥ）を考慮した通信システムのデザインまたは構造が議論されている。
【００８７】
このように、ｅｎｈａｎｃｅｄ  ｍｏｂｉｌｅ  ｂｒｏａｄｂａｎｄ（ｅＭＢＢ）  ｃｏｍｍｕｎｉｃａｔｉｏｎ、  ｍａｓｓｉｖｅ  ＭＴＣ（ｍＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ｒａｄｉｏ  ａｃｃｅｓｓ  ｔｅｃｈｎｏｌｏｇｙ（ＲＡＴ）の導入が現在議論されており、本明細書では、都合上、当該ｔｅｃｈｎｏｌｏｇｙを「Ｎｅｗ  Ｒａｔ（ＮＲ）」と通称する。
【００８８】
自己完結（Ｓｅｌｆ−ｃｏｎｔａｉｎｅｄ）サブフレーム構造
【００８９】
図５は、本明細書において提案する方法が適用され得るｓｅｌｆ−ｃｏｎｔａｉｎｅｄ  ｓｌｏｔ構造の一例を示した図である。
【００９０】
ＴＤＤシステムでデータ送信レイテンシ（ｌａｔｅｎｃｙ）を最小化するために、第五世代（５Ｇ：５  ｇｅｎｅｒａｔｉｏｎ）  ｎｅｗ  Ｒａｔでは、図４のような自己完結（ｓｅｌｆ−ｃｏｎｔａｉｎｅｄ）サブフレーム構造を考慮している。
【００９１】
図５においてハッチングした領域（シンボルインデックス０）は、下向きリンク（ＤＬ）制御領域を示し、黒色部分（シンボルインデックス１３）は、上向きリンク（ＵＬ）制御領域を示す。陰影表示がない領域は、ＤＬデータ送信のために使用されることができ、または、ＵＬデータ送信のために使用されることもできる。このような構造の特徴は、１個のサブフレーム内でＤＬ送信とＵＬ送信とが順次進行されて、サブフレーム内でＤＬデータが送信され、ＵＬ  ＡＣＫ／ＮＡＣＫも受信されることができる。結果として、データ送信エラー発生時にデータ再送信までかかる時間を減らすことになり、これによって最終データ伝達のｌａｔｅｎｃｙを最小化できる。
【００９２】
このようなｓｅｌｆ−ｃｏｎｔａｉｎｅｄサブフレーム構造において基地局とＵＥとが送信モードから受信モードへの切り換え過程または受信モードから送信モードへの切り換え過程のための時間ギャップ（ｔｉｍｅ  ｇａｐ）が必要である。このために、ｓｅｌｆ−ｃｏｎｔａｉｎｅｄサブフレーム構造でＤＬからＵＬに切り換えられる時点の一部ＯＦＤＭシンボルがガード区間（ＧＰ：ｇｕａｒｄ  ｐｅｒｉｏｄ）に設定されるようになる。
【００９３】
チャネル状態情報（ＣＳＩ：Ｃｈａｎｎｅｌ  Ｓｔａｔｅ  Ｉｎｆｏｒｍａｔｉｏｎ）フィードバック
【００９４】
３ＧＰＰ  ＬＴＥ／ＬＴＥ−Ａシステムでは、ユーザ機器（ＵＥ）がチャネル状態情報（ＣＳＩ）を基地局（ＢＳまたはｅＮＢ）に報告するように定義された。
【００９５】
ＣＳＩは、ＵＥとアンテナポートとの間に形成される無線チャネル（あるいは、リンクともいう）の品質を表すことのできる情報を通称する。例えば、ランク指示子（ＲＩ：Ｒａｎｋ  Ｉｎｄｉｃａｔｏｒ）、プリコーディング行列指示子（ＰＭＩ：Ｐｒｅｃｏｄｉｎｇ  Ｍａｔｒｉｘ  Ｉｎｄｉｃａｔｏｒ）、チャネル品質指示子（ＣＱＩ：Ｃｈａｎｎｅｌ  Ｑｕａｌｉｔｙ  Ｉｎｄｉｃａｔｏｒ）などがこれに該当する。
【００９６】
ここで、ＲＩは、チャネルのランク（ｒａｎｋ）情報を表し、これは、ＵＥが同一時間−周波数資源を介して受信するストリームの個数を意味する。この値は、チャネルの長い周期（ｌｏｎｇ  ｔｅｒｍ）フェーディング（ｆａｄｉｎｇ）により従属されて決定されるので、ＰＭＩ、ＣＱＩより一般的により長い周期にてＵＥからＢＳにフィードバックされる。ＰＭＩは、チャネル空間特性を反映した値であり、信号対干渉雑音比（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）などのメトリック（ｍｅｔｒｉｃ）を基準にＵＥが選好するプリコーディングインデックスを表す。ＣＱＩは、チャネルの強さを表す値であり、一般的に、ＢＳがＰＭＩを用いたときに得られる受信ＳＩＮＲを意味する。
【００９７】
３ＧＰＰ  ＬＴＥ／ＬＴＥ−Ａシステムにおいて基地局は、複数個のＣＳＩプロセス（ｐｒｏｃｅｓｓ）をＵＥに設定し、各プロセスに対するＣＳＩを報告されることができる。ここで、ＣＳＩプロセスは、基地局からの信号品質測定のためのＣＳＩ−ＲＳと干渉測定のためのＣＳＩ−干渉測定（ＣＳＩ−ＩＭ：ＣＳＩ−Ｉｎｔｅｒｆｅｒｅｎｃｅ  Ｍｅａｓｕｒｅｍｅｎｔ）資源で構成される。 
【００９８】
参照信号（ＲＳ：Ｒｅｆｅｒｅｎｃｅ  Ｓｉｇｎａｌ）仮想化（ｖｉｒｔｕａｌｉｚａｔｉｏｎ）
【００９９】
ｍｍＷでａｎａｌｏｇ  ｂｅａｍｆｏｒｍｉｎｇによって１つの時点に１つのａｎａｌｏｇ  ｂｅａｍ方向のみにＰＤＳＣＨ送信されることができる。この場合、当該方向にある一部少数のＵＥにのみ基地局からデータ送信が可能なようになる。したがって、必要に応じてアンテナポート別にａｎａｌｏｇ  ｂｅａｍ方向を異なるように設定することにより、いくつかのａｎａｌｏｇ  ｂｅａｍ方向にある複数のＵＥに同時にデータ送信が行われ得る。
【０１００】
図６は、本明細書において提案する方法が適用され得る復調参照信号のマッピングパターンの一例を示す図である。
【０１０１】
図６に示すように、ＮＲでデータの復調のための復調参照信号は、マッピングされる形態によってタイプ１またはタイプ２に分類されることができ、１個または２個のシンボルにマッピングされることができる。
【０１０２】
具体的に、ＮＲで復調参照信号は、Ｆｒｏｎｔ  ｌｏａｄ  ＤＭＲＳとａｄｄｉｔｉｏｎａｌ  ＤＭＲＳとに分類されることができる。Ｆｒｏｎｔ  ｌｏａｄ  ＤＭＲＳは、早いデコードのために、スロットの前方シンボルに位置することができ、下向きリンク制御情報（Ｄｏｗｎｌｉｎｋ  Ｃｏｎｔｒｏｌ  Ｉｎｆｏｒｍａｔｉｏｎ：ＤＣＩ）及び／又はＲＲＣによって指示された１個または２個のシンボルを占有できる。
【０１０３】
スロット基盤のスケジューリングの場合、Ｆｒｏｎｔ  ｌｏａｄ  ＤＭＲＳにおける１番目のＤＭＲＳシンボルは、ブロードキャストチャネルであるＰＢＣＨ（Ｐｈｙｓｉｃａｌ  Ｂｒｏａｄｃａｓｔ  Ｃｈａｎｎｅｌ）によって指示された３番目または４番目のシンボルに位置する。
【０１０４】
非スロット基盤のスケジューリングの場合、Ｆｒｏｎｔ  ｌｏａｄ  ＤＭＲＳにおける１番目のＤＭＲＳシンボルは、ＰＤＳＣＨ／ＰＵＳＣＨの１番目のシンボルに位置する。
【０１０５】
高速ＵＥの場合、ａｄｄｉｔｉｏｎａｌ  ＤＭＲＳは設定されることができ、スロットの中間／最後のシンボルの周りに位置する。
【０１０６】
ａｄｄｉｔｉｏｎａｌ  ＤＭＲＳは、ｆｒｏｎｔ  ｌｏａｄ  ＤＭＲＳが１個のシンボルに設定される場合、０、１、２、または３個の同一に広がっているシンボルを占有でき、ｆｒｏｎｔ  ｌｏａｄ  ＤＭＲＳが２個のシンボルに設定される場合、０または２個のシンボルを占有できる。
【０１０７】
Ｆｒｏｎｔ  ｌｏａｄ  ＤＭＲＳは、図６の（ａ）及び（ｂ）に示されたように、２個のマッピングタイプ（タイプ１、タイプ２）を有することができ、２個のマッピングタイプのうち、ＲＲＣにより指示されたタイプによってマッピングされることができる。
【０１０８】
以下、（ａ）をタイプ１、（ｂ）をタイプ２という。
【０１０９】
タイプ１及びタイプ２は、共に１個または２個のシンボルにマッピングされることができる。
【０１１０】
図６の（ａ）に示されたように、タイプ１でＤＭＲＳが１個のシンボルにマッピングされる場合、最大４個のアンテナポートの多重化のために、周波数軸上に長さ２のＦ−ＣＤＭ（Ｆｒｅｑｕｅｎｃｙ−Ｃｏｄｅ  Ｄｉｖｉｓｉｏｎ  Ｍｕｌｔｉｐｌｅｘｉｎｇ）及びＦＤＭ（Ｆｒｅｑｕｅｎｃｙ  Ｄｉｖｉｓｉｏｎ  Ｍｕｌｔｉｐｌｅｘｉｎｇ）が使用され得るし、ａｄｄｉｔｉｏｎａｌ  ＤＭＲＳが設定されない場合、ＲＢ（Ｒｅｓｏｕｒｃｅ  Ｂｌｏｃｋ）当り、各アンテナポートのＲＳ  ｄｅｎｓｉｔｙは、６ＲＥである。
【０１１１】
タイプ１でＤＭＲＳが２個のシンボルにマッピングされる場合、最大８個のアンテナポートの多重化のために、周波数軸上に長さ２のＦ−ＣＤＭ、及びＦＤＭが使用され得るし、時間軸上に長さ２のＴ−ＣＤＭが使用され得る。
【０１１２】
ａｄｄｉｔｉｏｎａｌ  ＤＭＲＳが設定されない場合、ＲＢ（Ｒｅｓｏｕｒｃｅ  Ｂｌｏｃｋ）当り、各アンテナポートのＲＳ  ｄｅｎｓｉｔｙは、８ＲＥである。
【０１１３】
図６の（ｂ）に示されたように、タイプ２でＤＭＲＳが１個のシンボルにマッピングされる場合、最大６個のアンテナポートの多重化のために、周波数軸上に長さ２のＦ−ＣＤＭ（Ｆｒｅｑｕｅｎｃｙ−Ｃｏｄｅ  Ｄｉｖｉｓｉｏｎ  Ｍｕｌｔｉｐｌｅｘｉｎｇ）及びＦＤＭ（Ｆｒｅｑｕｅｎｃｙ  Ｄｉｖｉｓｉｏｎ  Ｍｕｌｔｉｐｌｅｘｉｎｇ）が使用され得るし、ａｄｄｉｔｉｏｎａｌ  ＤＭＲＳが設定されない場合、ＲＢ（Ｒｅｓｏｕｒｃｅ  Ｂｌｏｃｋ）当り、各アンテナポートのＲＳ  ｄｅｎｓｉｔｙは、４ＲＥである。
【０１１４】
タイプ２でＤＭＲＳが２個のシンボルにマッピングされる場合、最大１２個のアンテナポートの多重化のために、周波数軸上に長さ２のＦ−ＣＤＭ、及びＦＤＭが使用され得るし、時間軸上に長さ２のＴ−ＣＤＭが使用され得る。
【０１１５】
ａｄｄｉｔｉｏｎａｌ  ＤＭＲＳが設定されない場合、ＲＢ（Ｒｅｓｏｕｒｃｅ  Ｂｌｏｃｋ）当り、各アンテナポートのＲＳ  ｄｅｎｓｉｔｙは、８ＲＥである。
【０１１６】
以下、本明細書では、データの復調のためのＤＭＲＳをアンテナポートを介して送信するためのマッピング方法及びＤＭＲＳとデータとの間の電力比を決定するための方法について具体的に説明する。
【０１１７】
ＬＴＥシステムにおいて共有チャネル（ｐｈｙｓｉｃａｌ  ｓｈａｒｅｄ  ｃｈａｎｎｅｌ）（例えば、ＰＤＳＣＨ（ｐｈｙｓｉｃａｌ  ｄｏｗｎｌｉｎｋ  ｓｈａｒｅｄ  ｃｈａｎｎｅｌ）のパワーは、端末に別にシグナリングされず、ＤＭＲＳの電力に対して設定された方式でスケーリングして定義される。
【０１１８】
例えば、ＬＴＥでＲａｎｋ２以下の場合、ＤＭＲＳの送信電力は、データの送信電力に比べて３ｄＢブースティングされ（すなわち、データとＤＭＲＳとの送信電力は同一である）、そうでない場合、ＤＭＲＳの送信電力は、データの送信電力に比べて３ｄＢブースティングされることと仮定されることができる。
【０１１９】
ＮＲでもＤＭＲＳとデータ（ＰＤＳＣＨまたはＰＵＳＣＨ（ｐｈｙｓｉｃａｌ  ｕｐｌｉｎｋ  ｓｈａｒｅｄ  ｃｈａｎｎｅｌ））との間の電力比は、ＤＭＲＳを送信するためのアンテナポート（以下、ポート）の多重化方法（例えば、ＦＤＭ、Ｔ−ＣＤＭ、Ｆ−ＣＤＭ、ＴＤＭ）及び／又はマッピングタイプによって変わることができる。
【０１２０】
例えば、ＤＭＲＳとデータとの間の電力比は、ＤＭＲＳのポートにいかなる多重化方法が優先的に適用されたかの可否及びＤＭＲＳのマッピングタイプがIであるか、IIであるかの可否によって変わることができる。
【０１２１】
以下、本発明がＰＤＳＣＨ送信に利用される場合、基地局は、本発明において提案したところにより、ＤＭＲＳとデータとの間の電力比を設定して、端末にＤＭＲＳ及びデータを送信し、端末は、送信された電力比を仮定してデータ復調を行うことができる。
【０１２２】
または、本発明がＰＤＳＣＨ送信に利用される場合、端末は、本発明において提案したところにより、ＤＭＲＳとデータとの間の電力比を設定して、基地局にＤＭＲＳ及びデータを送信し、端末は、送信された電力比を仮定してデータ復調を行うことができる。
【０１２３】
また、本明細書においてｃｏｍｂ形態のマッピングは、図６の（ａ）及び（ｂ）に示されたように、ＤＭＲＳが周波数軸上に一定のシンボル間隔でマッピングされる形態を意味し、周波数軸及び／又は時間軸上にＣＤＭ方法が使用される場合、ＣＤＭされるアンテナポートのグループがマッピングされる形態と同様でありうる。
【０１２４】
すなわち、ｃｏｍｂは、ＤＭＲＳ送信のためのアンテナポートが時間軸上にＦＤＭ方法によってマッピングされるアンテナポートのグループを表すことができ、周波数軸及び／又は時間軸上にＣＤＭ方法が適用される場合、ＣＤＭされるポートのグループと同様の意味で使用されることができる。
【０１２５】
以下、周波数軸上のＣＤＭ方法をＦ−ＣＤＭといい、時間軸上のＣＤＭ方法をＴ−ＣＤＭという。
【０１２６】
＜ＤＭＲＳタイプ１での電力比＞
【０１２７】
＜第１実施形態＞
【０１２８】
以下、第１実施形態では、ＤＭＲＳの送信のためのポートがＦＤＭ方法を先に利用して多重化される方法について具体的に説明する。
【０１２９】
ＦＤＭ方式を先に使用してＤＭＲＳのポートを定義する場合、ポートの数が増加するにつれて、先にＦＤＭ方法によってポートを多重化でき、ＦＤＭ方法のための資源が全て使用された場合、時間軸または周波数軸上にＣＤＭ方法を利用してポートを多重化できる。
【０１３０】
例えば、図６の（ａ）に示されたタイプ１でＤＭＲＳを送信するためのアンテナポート１、２は、各々ｃｏｍｂ１、２を使用して定義されることができる。
【０１３１】
ポート３は、ｃｏｍｂ１でＴ−ＣＤＭ／Ｆ−ＣＤＭ方法によってポート１と区別されることができ、ポート４は、ｃｏｍｂ２でＴ−ＣＤＭ／Ｆ−ＣＤＭ方法によってポート１と区別されることができる。
【０１３２】
ＦＤＭ方法を先に使用してＦＭＲポートを多重化する場合、端末に指示されたポートが１個である場合には、ＤＭＲＳが送信されるｃｏｍｂでない、残りのｃｏｍｂの電力を用いてＤＭＲＳの送信電力がデータの送信電力に比べて３ｄＢ電力ブースティングされることができる。
【０１３３】
この場合、残りのｃｏｍｂでデータまたは他の参照信号（例えば、ＳＲＳ（Ｓｏｕｎｄｉｎｇ  Ｒｅｆｅｒｅｎｃｅ  Ｓｉｇｎａｌ）またはチャネル状態情報参照信号（ＣＳＩ（Ｃｈａｎｎｅｌ  Ｓｔａｔｅ  Ｉｎｆｏｒｍａｔｉｏｎ）−ＲＳ））が送信されれば、残りのｃｏｍｂの電力を用いることができないため、０ｄＢ電力ブースティングされることができる。
【０１３４】
すなわち、残りのｃｏｍｂでデータまたは他の参照信号が送信されない場合にのみ、ＤＭＲＳの送信電力がデータの送信電力に比べて３ｄＢ電力ブースティングされることができる。
【０１３５】
残りのｃｏｍｂでのデータ送信可否は、基地局が端末にデータのレートマッチング（Ｒａｔｅ  Ｍａｔｃｈｉｎｇ）情報または下向きリンク制御情報（Ｄｏｗｎｌｉｎｋ  Ｃｏｎｔｒｏｌ  Ｉｎｆｏｒｍａｔｉｏｎ：ＤＣＩ）を介して知らせることができる。または、ＤＭＲＳがマッピングされるシンボルには、常にデータまたは他の参照信号がマッピングされないことがあり、この場合、ＤＭＲＳの送信電力は、３ｄＢブースティングされることができる。
【０１３６】
例えば、スロットのサイズが小さいか（すなわち、１つのスロットがｎ個のシンボル以下の個数で構成される場合（例えば、ｍｉｎｉ  ｓｌｏｔまたはｎ＝４））、データと関連したシンボルの個数が特定個数以下である場合、データの送信のためのＲＥの個数自体が足りないため、ＤＭＲＳがマッピングされるシンボルにデータが常に周波数軸に多重化されて送信されることができ、この場合、ＤＭＲＳの送信電力がデータの送信電力に比べて０ｄＢブースティングされる。それ以外の場合、ＤＭＲＳが送信されるシンボルには、常にデータが送信されないと仮定して、ＤＭＲＳの送信電力がデータの送信電力に比べて３ｄＢブースティングされることができる。
【０１３７】
すなわち、ＤＭＲＳの送信のためのアンテナポートのグループのうち、同じ資源を介してＤＭＲＳを送信するアンテナポートのグループであるｃｏｍｂ１またはｃｏｍｂ２は、データと関連したシンボルの個数によってデータまたは他の参照信号とともに多重化されて送信されることができる。
【０１３８】
例えば、データの送信のために割り当てられたシンボルの個数が２個である場合、２個のアンテナポートのグループのうち、１個のグループにはデータが送信され、残りのアンテナポートグループには、データ無しで復調参照信号のみが送信され得る。
【０１３９】
データの送信のために割り当てられたシンボルの個数が３個以上である場合、２個のアンテナポートグループの全ては、データ無しで復調参照信号のみが送信され得る。
【０１４０】
ＤＭＲＳがマッピングされるシンボルにデータまたは他の参照信号が共に多重化される場合、ＤＭＲＳの送信電力は、０ｄＢ電力ブースティングされることができる。
【０１４１】
それ以外の場合には、ＤＭＲＳがマッピングされるシンボルには、常に他のデータまたは他の参照信号が多重化されないと仮定することができ、この場合、ＤＭＲＳの送信電力は、データの送信電力に比べて３ｄＢ電力ブースティングされることができるか、データのレートマッピングによってブースティング可否が決定され得る。
【０１４２】
基地局によって端末に指示されたポートが２個以上である場合、特定ポートがマッピングされるｃｏｍｂを除いた残りのｃｏｍｂの電力を用いることができるので、常にＤＭＲＳの送信電力は、３ｄＢ電力ブースティングされることができる。
【０１４３】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０１４４】
例えば、前述したデータとともに送信されないアンテナポートのグループの個数が「２」である場合、ＤＭＲＳの送信電力は、３ｄＢブースティングされることができ、データとともに送信されないアンテナポートのグループの個数が「１」である場合、ＤＭＲＳの送信電力は、０ｄＢブースティングされることができる。
【０１４５】
実施形態１は、ｆｒｏｎｔ  ｌｏａｄ  ＤＭＲＳが１個または２個のシンボルにマッピングされる場合、全て適用されることができる。
【０１４６】
＜第２実施形態＞
【０１４７】
以下、第２実施形態では、ＤＭＲＳの送信のためのポートがＦ−ＣＤＭ方法を先に利用して多重化される方法について具体的に説明する。
【０１４８】
Ｆ−ＣＤＭ方式を先に使用してＤＭＲＳのポートを定義する場合、ポートの数が増加するにつれて、先にＦ−ＣＤＭ方法によってポートを多重化でき、Ｆ−ＣＤＭ方法のための資源が全て使用された場合、ＦＤＭ方法を利用してポートを多重化できる。
【０１４９】
例えば、図６の（ａ）に示されたタイプ１でＤＭＲＳを送信するためのアンテナポート１、２は、各々ｃｏｍｂ１で周波数軸上にＯＣＣ（ｏｒｔｈｏｇｏｎａｌ  ｃｏｖｅｒ  ｃｏｄｅ）（例えば、ＯＣＣ［１  １］及び［１  −１］）を用いて多重化され、ポート３、４は、各々ｃｏｍｂ２で周波数軸上にＯＣＣを用いて多重化されることができる。
【０１５０】
Ｆ−ＣＤＭ方法を先に使用してＤＭＲＳポートが定義される場合、端末に指示されたポートが２個以下である場合には、ＤＭＲＳが送信されるｃｏｍｂでない、残りのｃｏｍｂの電力を用いてＤＭＲＳの送信電力がデータの送信電力に比べて３ｄＢ電力ブースティングされることができる。
【０１５１】
この場合、残りのｃｏｍｂでデータまたは他の参照信号が送信されれば、残りのｃｏｍｂの電力を用いることができないため、０ｄＢ電力ブースティングされることができる。
【０１５２】
すなわち、残りのｃｏｍｂでデータまたは他の参照信号が送信されない場合にのみ、ＤＭＲＳの送信電力がデータの送信電力に比べて３ｄＢ電力ブースティングされることができる。
【０１５３】
残りのｃｏｍｂでのデータ送信可否は、基地局が端末にデータのレートマッチング情報またはＤＣＩを介して知らせることができる。または、ＤＭＲＳがマッピングされるシンボルには、常にデータまたは他の参照信号がマッピングされないことがあり、この場合、ＤＭＲＳの送信電力は、３ｄＢブースティングされることができる。
【０１５４】
例えば、スロットのサイズが小さいか（すなわち、１つのスロットがｎ個のシンボル以下の個数で構成される場合（例えば、ｍｉｎｉ  ｓｌｏｔまたはｎ＝４））、データと関連したシンボルの個数が特定個数以下である場合、データの送信のためのＲＥの個数自体が足りないため、ＤＭＲＳがマッピングされるシンボルにデータが常に周波数軸に多重化されて送信されることができ、この場合、ＤＭＲＳの送信電力がデータの送信電力に比べて０ｄＢブースティングされる。それ以外の場合、ＤＭＲＳが送信されるシンボルには、常にデータが送信されないと仮定して、ＤＭＲＳの送信電力がデータの送信電力に比べて３ｄＢブースティングされることができる。
【０１５５】
すなわち、ＤＭＲＳの送信のためのアンテナポートのグループのうち、同じ資源を介してＤＭＲＳを送信するアンテナポートのグループであるｃｏｍｂ１またはｃｏｍｂ２は、データと関連したシンボルの個数によってデータまたは他の参照信号とともに多重化されて送信されることができる。
【０１５６】
例えば、データの送信のために割り当てられたシンボルの個数が２個である場合、２個のアンテナポートグループのうち、１個のグループにはデータが送信され、残りのアンテナポートグループにはデータ無しで復調参照信号のみが送信され得る。
【０１５７】
データの送信のために割り当てられたシンボルの個数が３個以上である場合、２個のアンテナポートグループの全ては、データ無しで復調参照信号のみが送信され得る。ＤＭＲＳがマッピングされるシンボルにデータまたは他の参照信号が共に多重化される場合、ＤＭＲＳの送信電力は、０ｄＢ電力ブースティングされることができる。
【０１５８】
それ以外の場合には、ＤＭＲＳがマッピングされるシンボルには、常に他のデータまたは他の参照信号が多重化されないと仮定することができ、この場合、ＤＭＲＳの送信電力は、データの送信電力に比べて３ｄＢ電力ブースティングされることができるか、データのレートマッチングによってブースティング可否が決定され得る。
【０１５９】
基地局によって端末に指示されたポートが３個以上である場合、特定ポートがマッピングされるｃｏｍｂを除いた残りのｃｏｍｂの電力を用いることができるので、常にＤＭＲＳの送信電力は、３ｄＢ電力ブースティングされることができる。
【０１６０】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０１６１】
例えば、前述したデータとともに送信されないアンテナポートのグループの個数が「３」である場合、ＤＭＲＳの送信電力は、３ｄＢブースティングされることができ、データとともに送信されないアンテナポートのグループの個数が「１」である場合、ＤＭＲＳの送信電力は、０ｄＢブースティングされることができる。
【０１６２】
実施形態１は、ｆｒｏｎｔ  ｌｏａｄ  ＤＭＲＳが１個または２個のシンボルにマッピングされる場合、全て適用されることができ、ｆｒｏｎｔ  ｌｏａｄ  ＤＭＲＳが２個のシンボルにマッピングされる場合、最後にＴ−ＣＤＭ方法が適用され得る。
【０１６３】
第２実施形態は、Ｔ−ＣＤＭ方法を先に利用してＤＭＲＳの送信のためのポートを多重化する方法にも適用されることができる。
【０１６４】
すなわち、ポートをＴ−ＣＤＭ方法を利用して先に多重化し、Ｔ−ＣＤＭ方法を利用するための資源を全て使用した場合、ＦＤＭ及びＦ−ＣＤＭの順序でポートを多重化できる。この場合、電力ブースティングは、同様に適用されることができる。
【０１６５】
＜第３実施形態＞
【０１６６】
以下、第３実施形態では、ＤＭＲＳの送信のためのポートがＦ−ＣＤＭ方法及びＴ−ＣＤＭ方法を先に利用して多重化される方法について具体的に説明する。
【０１６７】
Ｆ−ＣＤＭ方法及びＴ−ＣＤＭ方法を先に使用してＤＭＲＳのポートを定義する場合、ポートの数が増加するにつれて、先にＦ−ＣＤＭ及びＴ−ＣＤＭ方法によってポートを多重化でき、Ｆ−ＣＤＭ方法及びＴ−ＣＤＭ方法のための資源が全て使用された場合、ＦＤＭ方法を利用してポートを多重化できる。
【０１６８】
例えば、図６の（ａ）に示されたタイプ１でＤＭＲＳを送信するためのアンテナポート１、２、３、及び４は、各々ｃｏｍｂ１で周波数軸上にＯＣＣ［１  １］、［１、  −１］及び時間軸上にＯＣＣ［１  １］、［１  −１］を用いて多重化され、ポート５、６、７、及び８は、各々ｃｏｍｂ２で周波数軸上にＯＣＣ及び時間軸上にＯＣＣを用いて多重化されることができる。
【０１６９】
Ｆ−ＣＤＭ方法及びＴ−ＣＤＭ方法を先に使用してＤＭＲＳポートが定義される場合、端末に指示されたポートが４個以下である場合には、ＤＭＲＳが送信されるｃｏｍｂでない残りのｃｏｍｂの電力を用いてＤＭＲＳの送信電力がデータの送信電力に比べて３ｄＢ電力ブースティングされることができる。
【０１７０】
この場合、残りのｃｏｍｂでデータまたは他の参照信号が送信されれば、残りのｃｏｍｂの電力を用いることができないため、０ｄＢ電力ブースティングされることができる。
【０１７１】
すなわち、残りのｃｏｍｂでデータまたは他の参照信号が送信されない場合にのみ、ＤＭＲＳの送信電力がデータの送信電力に比べて３ｄＢ電力ブースティングされることができる。
【０１７２】
残りのｃｏｍｂでのデータ送信可否は、基地局が端末にデータのレートマッチング情報またはＤＣＩを介して知らせることができる。または、ＤＭＲＳがマッピングされるシンボルには、常にデータまたは他の参照信号がマッピングされないことがあり、この場合、ＤＭＲＳの送信電力は、３ｄＢブースティングされることができる。
【０１７３】
例えば、スロットのサイズが小さいか（すなわち、１つのスロットがｎ個のシンボル以下の個数で構成される場合（例えば、ｍｉｎｉ  ｓｌｏｔまたはｎ＝４））、データと関連したシンボルの個数が特定個数以下である場合、データの送信のためのＲＥの個数自体が足りないため、ＤＭＲＳがマッピングされるシンボルにデータが常に周波数軸に多重化されて送信されることができ、この場合、ＤＭＲＳの送信電力がデータの送信電力に比べて０ｄＢブースティングされる。それ以外の場合、ＤＭＲＳが送信されるシンボルには、常にデータが送信されないと仮定して、ＤＭＲＳの送信電力がデータの送信電力に比べて３ｄＢブースティングされることができる。
【０１７４】
すなわち、ＤＭＲＳの送信のためのアンテナポートのグループのうち、同じ資源を介してＤＭＲＳを送信するアンテナポートのグループであるｃｏｍｂ１またはｃｏｍｂ２は、データと関連したシンボルの個数によってデータまたは他の参照信号とともに多重化されて送信されることができる。
【０１７５】
例えば、データの送信のために割り当てられたシンボルの個数が２個である場合、２個のアンテナポートグループのうち、１個のグループにはデータが送信され、残りのアンテナポートグループにはデータ無しで復調参照信号のみが送信され得る。
【０１７６】
データの送信のために割り当てられたシンボルの個数が３個以上である場合、２個のアンテナポートグループの全ては、データ無しで復調参照信号のみが送信され得る。ＤＭＲＳがマッピングされるシンボルにデータまたは他の参照信号が共に多重化される場合、ＤＭＲＳの送信電力は、０ｄＢ電力ブースティングされることができる。
【０１７７】
それ以外の場合には、ＤＭＲＳがマッピングされるシンボルには、常に他のデータまたは他の参照信号が多重化されないと仮定することができ、この場合、ＤＭＲＳの送信電力は、データの送信電力に比べて３ｄＢ電力ブースティングされることができるか、データのレートマッチングによってブースティング可否が決定され得る。
【０１７８】
基地局によって端末に指示されたポートが２個以上である場合、特定ポートがマッピングされるｃｏｍｂを除いた残りのｃｏｍｂの電力を用いることができるので、常にＤＭＲＳの送信電力は、３ｄＢ電力ブースティングされることができる。
【０１７９】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０１８０】
例えば、前述したデータとともに送信されないアンテナポートのグループの個数が「２」である場合、ＤＭＲＳの送信電力は、３ｄＢブースティングされることができ、データとともに送信されないアンテナポートのグループの個数が「１」である場合、ＤＭＲＳの送信電力は、０ｄＢブースティングされることができる。
【０１８１】
実施形態３は、ｆｒｏｎｔ  ｌｏａｄ  ＤＭＲＳが１個または２個のシンボルにマッピングされる場合、全て適用されることができる。
【０１８２】
図７〜図９は、本明細書において提案する復調参照信号がタイプ１によってマッピングされる場合、送信パワーの一例を示す図である。
【０１８３】
具体的に、図７〜図９は、タイプ１でＦＤＭを優先的に用いてＤＭＲＳを送信するためのアンテナポートを多重化した場合、ＤＭＲＳの送信電力に対するデータの送信電力の一例を示す。
【０１８４】
図７〜図９に示すように、実施形態１〜３を利用した場合、ＤＭＲＳの送信電力が３ｄＢブースティングされたことを確認できる。
【０１８５】
図７〜図９において白色ＲＥは、データまたは他の参照信号が送信されるＲＥを意味し、ハッチングされたＲＥは、各々端末に設定されたＤＭＲＳが送信されるＲＥを意味する。
【０１８６】
それぞれのＲＥに表示された数字は、特定ポートで当該ＲＥの送信電力を意味する（図７〜図９は、ポート１０００から１０１１までを例に挙げて図示している）。
【０１８７】
図７の（ａ）は、ｒａｎｋ１〜ｒａｎｋ３である場合の一例を示し、図７の（ｂ）は、ｒａｎｋ４及びｒａｎｋ５である場合の一例を示す。
【０１８８】
図８の（ａ）は、ｒａｎｋ６である場合、（ｂ）は、ｒａｎｋ７である場合の一例を示し、図９は、ｒａｎｋ８である場合の一例を示す。
【０１８９】
＜ＤＭＲＳタイプ２での電力比＞
【０１９０】
＜第４実施形態＞
【０１９１】
以下、第４実施形態〜第７実施形態では、ＤＭＲＳが図６の（ｂ）に示されたように、タイプ２によってマッピングされる場合、ＤＭＲＳの送信のためのポートの多重化方法及び電力ブースティングについて具体的に説明する。
【０１９２】
第４実施形態は、タイプ２の場合、ＤＭＲＳの送信のためのポートがＦＤＭ方法を先に利用して多重化される方法について具体的に説明する。
【０１９３】
ＦＤＭ方式を先に使用してＤＭＲＳのポートを定義する場合、ポートの数が増加するにつれて、先にＦＤＭ方法によってポートを多重化でき、ＦＤＭ方法のための資源が全て使用された場合、時間軸または周波数軸上にＣＤＭ方法を利用してポートを多重化できる。
【０１９４】
例えば、図６の（ｂ）に示されたタイプ２でポート１、２、３は、各々ｃｏｍｂ１、２、３を用いて定義されることができ、ポート４は、ｃｏｍｂ１でＴ−ＣＤＭ／Ｆ−ＣＤＭ方法によってポート１と区別されることができる。
【０１９５】
また、ポート５は、ｃｏｍｂ２でＴ−ＣＤＭ／Ｆ−ＣＤＭ方法を利用してポート２と区別されることができ、ポート６は、ｃｏｍｂ３でＴ−ＣＤＭ／Ｆ−ＣＤＭ方法によってポート３と区別されることができる。
【０１９６】
ＦＤＭ方法を先に使用してＤＭＲＳポートを多重化する場合、端末に指示されたポートが１個である場合には、ＤＭＲＳが送信されるｃｏｍｂでない残りのｃｏｍｂの電力を用いてＤＭＲＳの送信電力がデータの送信電力に比べて３ｄＢまたは４．７７ｄＢ（すなわち、３倍）電力ブースティングされることができる。
【０１９７】
この場合、全ての残りのｃｏｍｂでデータまたは他の参照信号が送信されれば、残りのｃｏｍｂの電力を用いることができないため、０ｄＢ電力ブースティングされることができる。
【０１９８】
全ての残りのｃｏｍｂのうち、１個のｃｏｍｂのみでデータまたは他の参照信号が送信されない場合、３ｄＢ電力ブースティングが適用され得るし、残りの全てのｃｏｍｂでデータまたは他の参照信号が送信されない場合には、４．７７ｄＢ（すなわち、３倍）電力ブースティングが適用され得る。
【０１９９】
残りのｃｏｍｂでのデータ送信可否は、基地局が端末にデータのレートマッチング（Ｒａｔｅ  Ｍａｔｃｈｉｎｇ）情報またはＤＣＩを介して知らせることができる。または、ＤＭＲＳがマッピングされるシンボルには、常にデータまたは他の参照信号がマッピングされないことがあると仮定して、ＤＭＲＳの送信電力が４．７７ｄＢブースティングされると仮定することができる。
【０２００】
例えば、スロットのサイズが小さいか（すなわち、１つのスロットがｎ個のシンボル以下の個数で構成される場合（例えば、ｍｉｎｉ  ｓｌｏｔまたはｎ＝４））、データと関連したシンボルの個数が特定個数以下である場合、データの送信のためのＲＥの個数自体が足りないため、ＤＭＲＳがマッピングされるシンボルにデータが常に周波数軸に多重化されて送信されることができ、この場合、ＤＭＲＳの送信電力がデータの送信電力に比べて０ｄＢブースティングされる。それ以外の場合、ＤＭＲＳが送信されるシンボルには。常にデータが送信されないと仮定して、ＤＭＲＳの送信電力がデータの送信電力に比べて３ｄＢブースティングされることができる。
【０２０１】
すなわち、ＤＭＲＳの送信のためのアンテナポートのグループのうち、同じ資源を介してＤＭＲＳを送信するアンテナポートのグループであるｃｏｍｂ１またはｃｏｍｂ２は、データと関連したシンボルの個数によってデータまたは他の参照信号とともに多重化されて送信されることができる。
【０２０２】
例えば、データの送信のために割り当てられたシンボルの個数が２個である場合、２個のアンテナポートのグループのうち、１個のグループにはデータが送信され、残りのアンテナポートグループにはデータ無しで復調参照信号のみが送信され得る。
【０２０３】
データの送信のために割り当てられたシンボルの個数が３個以上である場合、２個のアンテナポートグループの全ては、データ無しで復調参照信号のみが送信され得る。ＤＭＲＳがマッピングされるシンボルにデータまたは他の参照信号が共に多重化される場合、ＤＭＲＳの送信電力は、０ｄＢ電力ブースティングされることができる。
【０２０４】
それ以外の場合には、ＤＭＲＳがマッピングされるシンボルには、常に他のデータまたは他の参照信号が多重化されないと仮定することができ、この場合、残りのｃｏｍｂの電力を追加的に用いてＤＭＲＳの送信電力は、データの送信電力に比べて４．７７ｄＢ電力ブースティングされることができるか、データのレートマッピングによってブースティング可否が決定され得る。
【０２０５】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０２０６】
例えば、前述したデータとともに送信されないアンテナポートのグループの個数が「３」である場合、ＤＭＲＳの送信電力は、４．７７ｄＢブースティングされることができ、「２」である場合、ＤＭＲＳの送信電力は、３ｄＢブースティングされることができ、グループの個数が「１」である場合、ＤＭＲＳの送信電力は、０ｄＢブースティングされることができる。
【０２０７】
ＦＤＭ方法を先に使用してＤＭＲＳポートを多重化する場合、基地局により指示されたポートが２個である場合、２個のポートは、各々互いに異なるｃｏｍｂを用いてＤＭＲＳを送信できる。
【０２０８】
したがって、特定ポートがマッピングされた１つのｃｏｍｂを除いた残りのｃｏｍｂの電力を常に用いることができるので、タイプ２のＤＭＲＳの場合、少なくとも３ｄＢ電力ブースティングが常に可能でありうる。
【０２０９】
ＤＭＲＳが設定されない残りのｃｏｍｂにデータまたは他の参照信号が送信される場合には、データまたは他の参照信号がマッピングされたＲＥの送信電力を用いることができないため、３ｄＢ電力ブースティングが可能でありうる。
【０２１０】
データまたは他の参照信号が残りのｃｏｍｂにマッピングされない場合、残りのｃｏｍｂの電力を用いることができるので、ＤＭＲＳの送信電力は、残りのｃｏｍｂの電力を追加的に用いてデータの送信電力に比べて４．７７ｄＢブースティングが適用され得る。
【０２１１】
残りのｃｏｍｂでデータまたは他の参照信号の送信可否は、基地局が端末にデータレートマッチング情報またはＤＣＩを介して知らせることができる。または、ＤＭＲＳがマッピングされるシンボルには、常にデータまたは他の参照信号がマッピングされないことがあると仮定して、ＤＭＲＳの送信電力が４．７７ｄＢブースティングされると仮定することができる。
【０２１２】
例えば、スロットのサイズが小さいか（すなわち、１つのスロットがｎ個のシンボル以下の個数で構成される場合（例えば、ｍｉｎｉ  ｓｌｏｔまたはｎ＝４））、データと関連したシンボルの個数が特定個数以下である場合、データの送信のためのＲＥの個数自体が足りないため、ＤＭＲＳがマッピングされるシンボルにデータが常に周波数軸に多重化されて送信されることができ、この場合、ＤＭＲＳの送信電力がデータの送信電力に比べて０ｄＢブースティングされる。それ以外の場合、ＤＭＲＳが送信されるシンボルには、常にデータが送信されないと仮定して、ＤＭＲＳの送信電力がデータの送信電力に比べて３ｄＢブースティングされることができる。
【０２１３】
すなわち、ＤＭＲＳの送信のためのアンテナポートのグループのうち、同じ資源を介してＤＭＲＳを送信するアンテナポートのグループであるｃｏｍｂ１またはｃｏｍｂ２は、データと関連したシンボルの個数によってデータまたは他の参照信号とともに多重化されて送信されることができる。
【０２１４】
例えば、データの送信のために割り当てられたシンボルの個数が２個である場合、２個のアンテナポートのグループのうち、１個のグループにはデータが送信され、残りのアンテナポートグループにはデータ無しで復調参照信号のみが送信され得る。
【０２１５】
データの送信のために割り当てられたシンボルの個数が３個以上である場合、２個のアンテナポートグループの全ては、データ無しで復調参照信号のみが送信され得る。
【０２１６】
ＤＭＲＳがマッピングされるシンボルにデータまたは他の参照信号が共に多重化される場合、ＤＭＲＳの送信電力は、３ｄＢ電力ブースティングされることができる。
【０２１７】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０２１８】
例えば、前述したデータとともに送信されないアンテナポートのグループの個数が「３」である場合、ＤＭＲＳの送信電力は、４．７７ｄＢブースティングされることができ、「２」である場合、ＤＭＲＳの送信電力は、３ｄＢブースティングされることができ、グループの個数が「１」である場合、ＤＭＲＳの送信電力は、０ｄＢブースティングされることができる。
【０２１９】
それ以外の場合には、ＤＭＲＳがマッピングされるシンボルには、常に他のデータまたは他の参照信号が多重化されないと仮定することができ、この場合、残りのｃｏｍｂの電力を追加的に用いてＤＭＲＳの送信電力は、データの送信電力に比べて４．７７ｄＢ電力ブースティングされることができるか、データのレートマッピングによってブースティング可否が決定され得る。
【０２２０】
基地局によって端末に指示されたポートの個数が３個以上である場合、特定ポートが送信されるｃｏｍｂを除いた残りのｃｏｍｂの電力を常に用いることができるので、ＤＭＲＳの送信電力は、常に４．７７ｄＢ電力ブースティングされることができる。
【０２２１】
実施形態４は、ＤＭＲＳが２個のシンボルにマッピングされる場合にも適用されることができる。
【０２２２】
＜第５実施形態＞
【０２２３】
第５実施形態は、タイプ２の場合、ＤＭＲＳの送信のためのポートがＦ−ＣＤＭ方法を先に利用して多重化される方法について具体的に説明する。
【０２２４】
Ｆ−ＣＤＭ方式を先に使用してＤＭＲＳのポートを定義する場合、ポートの数が増加するにつれて、先にＦ−ＣＤＭ方法によってポートを多重化でき、Ｆ−ＣＤＭ方法のための資源が全て使用された場合、ＦＤＭ方法を利用してポートを多重化できる。
【０２２５】
例えば、図６の（ｂ）に示されたタイプ２でポート１、２は、各々ｃｏｍｂ１で周波数軸上にＯＣＣ（Ｏｒｔｈｏｇｏｎａｌ  Ｃｏｖｅｒ  Ｃｏｄｅ）（例えば、ＯＣＣ［１  １］及び［１  −１］）を用いて多重化され、ポート３、４は、各々ｃｏｍｂ２で周波数軸上にＯＣＣを用いて多重化されることができる。
【０２２６】
Ｆ−ＣＤＭ方法を先に使用してＤＭＲＳポートを多重化する場合、基地局により端末に指示されたポートが２個以下である場合には、上記の実施形態４での基地局により端末に指示されたポートが１個である場合と同じ方法によって電力ブースティングが行われ得る。
【０２２７】
基地局により端末に指示されたポートが３個以上４個以下である場合、４個のポートが２個のｃｏｍｂを介して送信されることができる。したがって、特定ポートが送信される１個のｃｏｍｂを除いた残りの１個のｃｏｍｂの電力を用いることができるので、少なくとも３ｄＢ電力ブースティングが常に適用され得る。
【０２２８】
ＤＭＲＳが設定されない残りのｃｏｍｂにデータまたは他の参照信号がマッピングされる場合、データまたは他の参照信号がマッピングされた残りのｃｏｍｂの電力を用いることができないため、３ｄＢ電力ブースティングが適用され得る。
【０２２９】
データまたは他の参照信号が残りのｃｏｍｂにマッピングされない場合、残りのｃｏｍｂの電力を追加的に用いて４．７７ｄＢ電力ブースティングが適用され得る。
【０２３０】
残りのｃｏｍｂでデータまたは他の参照信号の送信可否は、基地局が端末にデータレートマッチング情報またはＤＣＩを介して知らせることができる。または、ＤＭＲＳがマッピングされるシンボルには、常にデータまたは他の参照信号がマッピングされないことがあると仮定して、ＤＭＲＳの送信電力が４．７７ｄＢブースティングされると仮定することができる。
【０２３１】
スロットのサイズが小さい場合、すなわち、データと関連したシンボルの個数によってＤＭＲＳの送信電力を決定する方法は、実施形態４での基地局により指示されたポートの個数が２個である場合と同様に適用されることができる。
【０２３２】
端末に指示されたポートの個数が５個以上である場合、特定ポートが送信されるｃｏｍｂを除いた残りの全てのｃｏｍｂの電力を常に用いることができるので、常に４．７７ｄＢ電力ブースティングが適用され得る。
【０２３３】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０２３４】
例えば、前述したデータとともに送信されないアンテナポートのグループの個数が「３」である場合、ＤＭＲＳの送信電力は、４．７７ｄＢブースティングされることができ、「２」である場合、ＤＭＲＳの送信電力は、３ｄＢブースティングされることができ、グループの個数が「１」である場合、ＤＭＲＳの送信電力は、０ｄＢブースティングされることができる。
【０２３５】
実施形態５は、２個のシンボルにＤＭＲＳがマッピングされる場合にも適用されることができ、２個のシンボルにＤＭＲＳがマッピングされる場合、ＦＤＭ方法が適用された後、Ｔ−ＣＤＭを介してポートが多重化され得る。
【０２３６】
第５実施形態は、Ｔ−ＣＤＭ方法を先に利用してＤＭＲＳの送信のためのポートを多重化する方法にも適用されることができる。
【０２３７】
すなわち、ポートをＴ−ＣＤＭ方法を利用して先に多重化し、Ｔ−ＣＤＭ方法を利用するための資源を全て使用した場合、ＦＤＭ及びＦ−ＣＤＭ順序でポートを多重化できる。この場合、電力ブースティングは、同様に適用されることができる。
【０２３８】
＜第６実施形態＞
【０２３９】
第６実施形態は、タイプ２の場合、ＤＭＲＳの送信のためのポートがＴ−ＣＤＭ方法及びＦ−ＣＤＭ方法を先に利用して多重化される方法について具体的に説明する。
【０２４０】
Ｆ−ＣＤＭ方法及びＴ−ＣＤＭ方法を先に使用してＤＭＲＳのポートを定義する場合、ポートの数が増加するにつれて、先にＦ−ＣＤＭ方法及びＴ−ＣＤＭ方法によってポートを多重化でき、Ｆ−ＣＤＭ方法及びＴ−ＣＤＭ方法のための資源が全て使用された場合、ＦＤＭ方法を利用してポートを多重化できる。
【０２４１】
例えば、図６の（ｂ）に示されたタイプ２でＤＭＲＳを送信するためのアンテナポート１、２、３、及び４は、各々ｃｏｍｂ１で周波数軸上にＯＣＣ［１  １］、［１、−１］及び時間軸上にＯＣＣ［１  １］、［１  −１］を用いて多重化され、ポート５、６、７、及び８は、各々ｃｏｍｂ２で周波数軸上にＯＣＣ及び時間軸上にＯＣＣを用いて多重化され、ポート９、１０、１１、及び１２は、各々ｃｏｍｂ３で周波数軸上にＯＣＣ及び時間軸上にＯＣＣを用いて多重化されることができる。
【０２４２】
Ｆ−ＣＤＭ方法及びＴ−ＣＤＭ方法を先に使用してＤＭＲＳポートが定義される場合、端末に指示されたポートが４個以下である場合には、ＤＭＲＳが送信されるｃｏｍｂでない残りのｃｏｍｂの電力を用いてＤＭＲＳの送信電力がデータの送信電力に比べて３ｄＢまたは４．７７ｄＢ電力ブースティングされることができる。
【０２４３】
この場合、全ての残りのｃｏｍｂでデータまたは他の参照信号が送信されれば、残りのｃｏｍｂの電力を用いることができないため、０ｄＢ電力ブースティングされることができ、残りのｃｏｍｂのうち、１個のｃｏｍｂでデータまたは他の参照信号が送信されないと、データまたは他の参照信号が送信されないｃｏｍｂの電力を用いてＤＭＲＳの送信電力が３ｄＢ電力ブースティングされることができる。
【０２４４】
また、全ての残りのｃｏｍｂに他のデータまたは他の参照信号が送信されないと、全ての残りのｃｏｍｂの電力を用いてＤＭＲＳの送信電力が４．７７ｄＢ電力ブースティングされることができる。
【０２４５】
残りの０２９２でデータまたは他の参照信号の送信可否は、基地局が端末にデータレートマッチング情報またはＤＣＩを介して知らせることができる。または、ＤＭＲＳがマッピングされるシンボルには、常にデータまたは他の参照信号がマッピングされないことがあると仮定して、ＤＭＲＳの送信電力が４．７７ｄＢブースティングされると仮定することができる。
【０２４６】
スロットのサイズが小さい場合、すなわち、データと関連したシンボルの個数によってＤＭＲＳの送信電力を決定する方法は、実施形態４での基地局により指示されたポートの個数が１個である場合と同様に適用されることができる。
【０２４７】
基地局により指示されたポートが５個以上８個以下である場合、８個のポートは、２個のｃｏｍｂを介して送信されることができる。
【０２４８】
したがって、特定ポートがマッピングされた１つのｃｏｍｂを除いた残りのｃｏｍｂの電力を常に用いることができるので、タイプ２のＤＭＲＳの場合、少なくとも３ｄＢ電力ブースティングが常に可能でありうる。
【０２４９】
ＤＭＲＳが設定されない残りのｃｏｍｂにデータまたは他の参照信号が送信される場合には、データまたは他の参照信号がマッピングされたＲＥの送信電力を用いることができないため、３ｄＢ電力ブースティングが可能でありうる。
【０２５０】
データまたは他の参照信号が残りのｃｏｍｂにマッピングされない場合、残りのｃｏｍｂの電力を用いることができるので、残りのｃｏｍｂの電力を追加的に用いてＤＭＲＳの送信電力は、データの送信電力に比べて４．７７ｄＢブースティングが適用され得る。
【０２５１】
残りのｃｏｍｂでデータまたは他の参照信号の送信可否は、基地局が端末にデータレートマッチング情報またはＤＣＩを介して知らせることができる。または、ＤＭＲＳがマッピングされるシンボルには、常にデータまたは他の参照信号がマッピングされないことがあると仮定して、ＤＭＲＳの送信電力が４．７７ｄＢブースティングされると仮定することができる。
【０２５２】
すなわち、ＤＭＲＳが送信されるアンテナポートのグループのうち、データとともに送信されないアンテナグループの個数によってＤＭＲＳの送信電力のブースティング可否及びブースティング値が決定され得る。
【０２５３】
例えば、前述したデータとともに送信されないアンテナポートのグループの個数が「３」である場合、ＤＭＲＳの送信電力は、４．７７ｄＢブースティングされることができ、「２」である場合、ＤＭＲＳの送信電力は、３ｄＢブースティングされることができ、グループの個数が「１」である場合、ＤＭＲＳの送信電力は、０ｄＢブースティングされることができる。
【０２５４】
スロットのサイズが小さい場合、すなわち、データと関連したシンボルの個数によってＤＭＲＳの送信電力を決定する方法は、実施形態４での基地局により指示されたポートの個数が２個である場合と同様に適用されることができる。
【０２５５】
基地局により端末に指示されたポートが９個以上である場合、特定ポートが送信されるｃｏｍｂを除いた残りの全てのｃｏｍｂの電力を常に用いることができるので、ＤＭＲＳの送信電力は、データの送信電力に比べて４．７７ｄＢ電力がブースティングされることができる。
【０２５６】
実施形態６は、ｆｒｏｎｔ  ｌｏａｄ  ＤＭＲＳが２個のシンボルにマッピングされる場合にも適用されることができる。
【０２５７】
図１０〜図１５は、本明細書において提案する復調参照信号がタイプ２によってマッピングされる場合、送信パワーの一例を示す図である。
【０２５８】
図１０〜図１５は、本明細書において提案する復調参照信号がタイプ２によってマッピングされる場合、送信パワーの一例を示す図である。
【０２５９】
具体的に、図１０〜図１５は、タイプ２でＦＤＭを優先的に用いてＤＭＲＳを送信するためのアンテナポートを多重化した場合、ＤＭＲＳの送信電力に対するデータの送信電力の一例を示す。
【０２６０】
図１０〜図１５に示すように、実施形態１〜３を利用した場合、ＤＭＲＳの送信電力が３ｄＢまたは４．８ｄＢブースティングされたことを確認できる。
【０２６１】
図１０〜図１５において白色ＲＥは、データまたは他の参照信号が送信されるＲＥを意味し、ハッチングされたＲＥは、各々端末に設定されたＤＭＲＳが送信されるＲＥを意味する。
【０２６２】
それぞれのＲＥに表示された数字は、特定ポートで当該ＲＥの送信電力を意味する（図１０〜図１５は、ポート１０００から１０１１までを例に挙げて図示している）。
【０２６３】
図１０は、ｒａｎｋ１〜ｒａｎｋ４である場合の一例を示し、図１１は、ｒａｎｋ５及びｒａｎｋ６である場合の一例を示す。
【０２６４】
図１２は、ｒａｎｋ７〜９である場合の一例を示し、図１３は、ｒａｎｋ１０及びｒａｎｋ１１である場合の一例を示す。
【０２６５】
図１４は、ｒａｎｋ１２である場合の一例を示す。
【０２６６】
＜第７実施形態＞
【０２６７】
第１実施形態〜第６実施形態においてｆｒｏｎｔ  ｌｏａｄ  ＤＭＲＳが２個のシンボルにマッピングされる場合、２個のシンボルに対するデータレートマッチングが互いに異なるように設定されるか、他の参照信号との多重化と関連した設定が異なるように設定されることができる。
【０２６８】
この場合、ＤＭＲＳがマッピングされたシンボルの各々に対して実施形態１〜６において説明した電力のブースティング可否を独立的に設定することができる。
【０２６９】
すなわち、ＤＭＲＳがマッピングされたそれぞれのシンボル別にデータレートマッチング及び／又は他の参照信号との多重化可否などを考慮して電力のブースティング可否が決定され得る。
【０２７０】
それぞれのシンボル別にデータレートマッチング及び／又は他の参照信号との多重化可否が異なるように設定される場合、シンボルの各々に適用される時間軸上のＯＣＣの直交性（ｏｒｔｈｏｇｏｎａｌｉｔｙ）が破れることができ、受信端は、下記のような方法によって時間軸上のＯＣＣをｄｉｓｐｒｅａｄｉｎｇして直交性を維持させることができる。
【０２７１】
＜方法１＞
【０２７２】
例えば、時間軸ＯＣＣである［１  １］、［１  −１］を用いてＤＭＲＳを送信するための２個のポートが多重化され、ＤＭＲＳがマッピングされた１番目のシンボルは、０ｄＢの電力ブースティングが、２番目のシンボルは、３ｄＢの電力ブースティングされた場合、時間軸ＯＤＤは、
2019535155.tif 000042
2019535155.tif 000043
になることができる。
【０２７３】
受信端は、２番目のシンボルに３ｄＢの電力ブースティングが適用されたという事実を認識しているので、２番目のシンボルの受信電力を再度デブースティング（ｄｅｂｏｏｓｔｉｎｇ）して、［１  １］、［１  −１］を介して周波数軸上のＯＣＣをｄｉｓｐｒｅａｄｉｎｇできる。
【０２７４】
このような方法は、ｆｒｏｎｔ  ｌｏａｄ  ＤＭＲＳだけでなく、ａｄｄｉｔｉｏｎａｌ  ＤＭＲＳが２個のシンボルにマッピングされて、時間軸上にＯＣＣを介して多重化される場合にも同様に適用されることができる。
【０２７５】
＜方法２＞
【０２７６】
または、ＤＭＲＳがマッピングされるシンボル間の電力ブースティングを各々異なるように適用することが複雑な場合、ＤＭＲＳがマッピングされるシンボル間の電力ブースティングは、シンボル間が常に同様に適用されるように制限されることができる。
【０２７７】
例えば、ＤＭＲＳがマッピングされたシンボルの各々に対する電力のブースティング値を計算した後、計算された値のうち、小さい値がＤＭＲＳがマッピングされた全てのシンボルの電力ブースティング値で適用されることができる。
【０２７８】
＜方法３＞
【０２７９】
または、時間軸上にＯＣＣが適用されるＤＭＲＳがマッピングされたシンボル間には、データレートマッチングが互いに異なるように設定されず、データまたは他の参照信号との多重化方法が異なるように設定されないと端末は認識できる。
【０２８０】
この場合、時間軸上にＯＣＣが適用されるシンボル間の電力ブースティングは、常に同様に設定されることができる。
【０２８１】
また、時間軸上にＯＣＣが適用されないＤＭＲＳがマッピングされたシンボル間には、データレートマッチングが互いに異なるように設定されず、データまたは他の参照信号との多重化方法が異なるように設定されないと端末は認識できる。その結果、シンボル間の電力ブースティングが常に同様に設定されることができる。
【０２８２】
＜第８実施形態＞
【０２８３】
Ｆｒｏｎｔ  ｌｏａｄ  ＤＭＲＳの他に、ａｄｄｉｔｉｏｎａｌ  ＤＭＲＳが追加的に設定される場合にも、第１実施形態〜第６実施形態において説明した方法が独立的に適用されて電力ブースティング可否が決定され得る。
【０２８４】
また、ＤＭＲＳがマッピングされるシンボル間の電力ブースティングを異なるように設定することは、複雑性が増加する恐れがあるところ、電力ブースティングは、ＤＭＲＳがマッピングされるシンボル間には同様に適用されるように制限されることができる。
【０２８５】
この場合、方法２で説明したように、最も小さい電力ブースティング値が適用され得る。
【０２８６】
Ｆｒｏｎｔ  ｌｏａｄ  ＤＭＲＳがマッピングされるシンボルでは、ＰＤＳＣＨ／ＰＵＳＣＨまたはＣＳＩ−ＲＳ／ＳＲなどが多重化されず、ａｄｄｉｔｉｏｎａｌ  ＤＭＲＳがマッピングされるシンボルのみでＰＤＳＣＨ／ＰＵＳＣＨまたはＣＳＩ−ＲＳ／ＳＲなどが多重化され、ｒａｎｋが所定値以下である場合、ｆｒｏｎｔ  ｌｏａｄ  ＤＭＲＳのみ電力ブースティングが適用され得る。
【０２８７】
すなわち、ｆｒｏｎｔ  ｌｏａｄ  ＤＭＲＳのための電力ブースティングとａｄｄｉｔｉｏｎａｌ  ＤＭＲＳのための電力ブースティングとが各々独立的に計算されて適用されることができる。
【０２８８】
または、ｆｒｏｎｔ  ｌｏａｄ  ＤＭＲＳのための電力ブースティングの値とａｄｄｉｔｉｏｎａｌ  ＤＭＲＳのための電力ブースティングの値とが各々計算されて、最も小さい値がｆｒｏｎｔ  ｌｏａｄ  ＤＭＲＳ及びａｄｄｉｔｉｏｎａｌ  ＤＭＲＳに適用されることができる。
【０２８９】
このような方法によってＤＭＲＳがマッピングされるシンボルにＣＳＩ−ＲＳが共にＦＤＭ方法によって多重化されて送信される場合、ＤＭＲＳとの衝突を防止するために、ＣＳＩ−ＲＳは、単一ポートを介して送信されるように制限されることができる。
【０２９０】
仮に、ＤＭＲＳがマッピングされるシンボルで端末に設定されたＤＭＲＳが送信されるｃｏｍｂの他に、少なくとも１つの残りのｃｏｍｂでデータが送信されず、データが送信されない少なくとも１つの残りのｃｏｍｂで単一ポートを介して送信されるＣＳＩ−ＲＳが送信される場合、ＤＭＲＳの送信電力に対する電力ブースティングが複雑になる恐れがある。
【０２９１】
したがって、これを解決するために、データが送信されないｃｏｍｂでＤＭＲＳとＣＳＩ−ＲＳとは、同じシンボルで共に送信されないことができる。または、単一ポート上でＣＳＩ−ＲＳが送信される場合、１個のＲＥでのみ送信されるので、ＤＭＲＳの送信電力のブースティング値には大きい影響を及ぼさないことができる。
【０２９２】
この場合、端末は、基地局からデータが送信されない前記復調参照信号のｃｏｍｂ情報を受信できる。
【０２９３】
したがって、ＤＭＲＳがマッピングされるシンボルでＣＳＩ−ＲＳの存在有無は、ＤＭＲＳの送信電力ブースティングを決定するための値で無視し、データ及びＳＲＳの存在可否によって電力ブースティングの値を決定できる。
【０２９４】
この場合、ＤＭＲＳがマッピングされるシンボルでＳＲＳが共に多重化されて（例えば、ＦＤＭ方法などによって）送信されることができる。仮に、ＤＭＲＳがマッピングされるシンボルで端末に設定されたＤＭＲＳが送信されるｃｏｍｂの他に、少なくとも１つの残りのｃｏｍｂでデータが送信されず、当該ｃｏｍｂで４ｃｏｍｂ形態のＳＲＳが送信される場合、ＤＭＲＳの電力ブースティングの複雑性が増加する恐れがある。
【０２９５】
これにより、ＳＲＳは、２ｃｏｍｂ方式または４ｃｏｍｂ方式で送信されることができる。
【０２９６】
すなわち、データが送信されない少なくとも１つのｃｏｍｂを構成するＲＥのうち、半分にＳＲＳが送信され、残りのＲＥは、ｍｕｔｉｎｇされるので、ＤＭＲＳの電力ブースティングの値のための計算が複雑になる。
【０２９７】
この場合、ＳＲＳがマッピングされるｃｏｍｂからブースティングできるＤＭＲＳの電力は、２倍でなく、１．５倍になることができる。すなわち、この場合、タイプ１で端末に特定個数以下のポートが設定される場合、ＤＭＲＳは、２倍でなく、１．５倍の送信電力がブースティングされ得る。
【０２９８】
また、タイプ２で端末に特定個数以下のポートが設定される場合、ＤＭＲＳは、２倍でなく、１．５倍、または３倍でなく、２．５倍の送信電力がブースティングされ得る。
【０２９９】
したがって、このような問題点を解決するために、ＤＭＲＳと他の参照信号とは、同じＲＥまたは同じシンボルに共にマッピングされて送信されないことができる。
【０３００】
ＤＭＲＳが他の参照信号と同一のＲＥまたは同一のシンボルに共にマッピングされない場合、基地局のスケジューリングに制限が発生することを緩和するために、ＤＭＲＳと他の参照信号とは、同じ資源ブロックでは同じシンボルまたはＲＥに共にマッピングされないが、他のＲＢでは同じシンボルまたはＲＥに共にマッピングされることができる。
【０３０１】
例えば、１０個のＲＢが存在する場合、ＲＢ１のみでＤＭＲＳが送信されるならば、ＲＢ１では、ＤＭＲＳが送信されるシンボルでＣＳＩＲＳ及び／又はＳＲＳが共に送信されないが、残りのＲＢでは、ＤＭＲＳが送信されたシンボルでＣＳＩＲＳ及び／又はＳＲＳが送信され得る。
【０３０２】
以下、具体的に説明する。
【０３０３】
図１５は、本明細書において提案する復調参照信号とチャネル状態情報参照信号とを共に送信するためのマッピング方法の一例を示す図である。
【０３０４】
図１５に示すように、ＤＭＲＳがマッピングされるシンボルまたはＲＥには他の参照信号がマッピングされ得ない。
【０３０５】
すなわち、ＤＭＲＳを送信するためのアンテナポートのグループに割り当てられた資源は、ＣＳＩ−ＲＳのために割り当てられた資源と重ならないことができる。
【０３０６】
具体的に、ＤＭＲＳが送信される資源ブロックのシンボルにＣＳＩ−ＲＳまたはＳＲＳが共にＦＤＭ方法によって多重化されて送信され、ＤＭＲＳが送信されるシンボルに空いているＲＥが存在する場合、空いているＲＥは、常にデータが送信され得る。
【０３０７】
または、ＤＭＲＳの送信電力ブースティングの複雑性を減少させるために、ＤＭＲＳと他の参照信号、またはデータは、各々異なる資源を介して送信されることができる。
【０３０８】
すなわち、ＤＭＲＳがマッピングされるシンボルまたはＲＥには、他の参照信号またはデータがマッピングされないことがある。
【０３０９】
例えば、図１５の（ａ）に示されたように、ｃｏｍｂ１（ハッチングされた部分）にはＤＭＲＳが送信され、ｃｏｍｂ２では、単一ポートのＣＳＩ−ＲＳが送信され得る。このとき、ＣＳＩ−ＲＳは、ｃｏｍｂ２で点として表示されたＲＥから送信されることができる。
【０３１０】
図１５の（ａ）の場合、ｃｏｍｂ２でＣＳＩ−ＲＳが送信されるＲＥの他の残りのＲＥ（白色ＲＥ）に他の参照信号またはデータが送信されない場合、ＤＭＲＳのパワーブースティング値の計算が複雑になる恐れがある。
【０３１１】
したがって、パワーブースティング値の計算に対する複雑性を低めるために、ＤＭＲＳがマッピングされるＯＦＤＭシンボルまたはＲＥには、他の参照信号またはデータが共に送信されないことができる。
【０３１２】
または、全ての残りのＲＥに常にデータが送信されるように設定されることができる。
【０３１３】
図１５の（ｂ）は、ｃｏｍｂ１（ハッチングされたＲＥ）にはＤＭＲＳが送信され、点として表示されたｃｏｍｂ２及び３にはＳＲＳが送信される場合の一例を示す。
【０３１４】
ＳＲＳは、前述したように、２ｃｏｍｂを用いたマッピングパターンと４ｃｏｍｂを用いたマッピングパターンとが存在し得るし、図１５の（ｂ）は、４ｃｏｍｂを用いたマッピングパターンの一例を示す。
【０３１５】
図１５の（ｂ）の場合も、（ａ）のように、ＳＲＳが送信されないＲＥにデータまたは他の参照信号が送信されないと、ＤＭＲＳのパワーブースティング値の計算が複雑になる恐れがある。
【０３１６】
したがって、図１５の（ａ）のように、ＤＭＲＳがマッピングされるＯＦＤＭシンボルまたはＲＥには、他の参照信号またはデータが共に送信されないことができる。
【０３１７】
または、全ての残りのＲＥに常にデータが送信されるように設定されることができる。
【０３１８】
図１５は、ＤＭＲＳのマッピングタイプ１を例に挙げて説明したが、マッピングタイプ２にも適用されることができる。
【０３１９】
図１６は、本明細書において提案する端末が復調参照信号を送受信するための方法の一例を示す順序図である。図１６は、単に説明の便宜のためのものであり、本発明の範囲を制限するものではない。
【０３２０】
図１６に示すように、当該端末及び基地局は、上述した本明細書の実施形態等で説明された方法（等）を行うことができる。特に、当該端末及び基地局は、第１実施形態〜第８実施形態において説明された方法を支援できる。図１６では、これと関連して上述した内容と重複する具体的な説明は省略する。
【０３２１】
まず、端末は、基地局から下向きリンク制御情報（ＤＣＩ）を受信できる（Ｓ１６０１０）。
【０３２２】
このとき、下向きリンク制御情報は、実施形態１〜６において説明したように、ＤＭＲＳのマッピングパターン情報、ＤＭＲＳがマッピングされるシンボルに他の参照信号またはデータが共に送信されるか否かを表す送信情報、またはＤＭＲＳの送信電力のブースティング可否及びブースティング値を表すブースティング情報のうち、少なくとも１つを含むことができる。
【０３２３】
その後、端末は、下向きリンク制御情報に基づいて、複数のアンテナポートを介して復調参照信号（Ｄｅｍｏｄｕｌａｔｉｏｎ  Ｒｅｆｅｒｅｎｃｅ  Ｓｉｇｎａｌ：ＤＭＲＳ）及び下向きリンクデータを受信する（Ｓ１６０２０）。
【０３２４】
このとき、実施形態１〜６において説明したように、複数のアンテナポートのうち、同じ資源を介して前記復調参照信号を送信する少なくとも１つのアンテナポートのグループは、前記下向きリンクデータと関連したシンボルの個数によって前記下向きリンクデータとともに送信されない。
【０３２５】
すなわち、データと関連したシンボルの個数によってＤＭＲＳを送信するためのアンテナポートのグループのうち、少なくとも１つのアンテナグループは、データとともに送信されないことができる。
【０３２６】
例えば、前記下向きリンクデータは、前記下向きリンクデータと関連したシンボルの個数によって前記復調参照信号と同じシンボルで送信されるか、互いに異なるシンボルで送信されることができる。
【０３２７】
その後、端末は、受信された復調参照信号に基づいて、前記下向きリンクデータを復調することができる（Ｓ１６０３０）。
【０３２８】
本発明が適用され得る装置一般
【０３２９】
図１７は、本明細書において提案する方法が適用され得る無線通信装置のブロック構成図を例示する。
【０３３０】
図１７に示すように、無線通信システムは、基地局１７１０と、基地局１７１０領域内に位置した複数の端末１７２０とを備える。
【０３３１】
前記基地局と端末は、各々無線装置で表現されることができる。
【０３３２】
基地局１７１０は、プロセッサ（ｐｒｏｃｅｓｓｏｒ、１７１１）、メモリ（ｍｅｍｏｒｙ、１７１２）、及びＲＦモジュール（ｒａｄｉｏ  ｆｒｅｑｕｅｎｃｙ  ｍｏｄｕｌｅ、１７１３）を備える。プロセッサ１７１１は、先に図１〜図１５において提案された機能、過程、及び／又は方法を実現する。無線インターフェースプロトコルの階層は、プロセッサにより実現されることができる。メモリ１７１２は、プロセッサと連結されて、プロセッサを駆動するための様々な情報を格納する。ＲＦモジュール１７１３は、プロセッサと連結されて、無線信号を送信及び／又は受信する。
【０３３３】
端末１７２０は、プロセッサ１７２１、メモリ１７２２、及びＲＦモジュール１７２３を備える。
【０３３４】
プロセッサ１７２１は、先に図１〜図１５において提案された機能、過程、及び／又は方法を実現する。無線インターフェースプロトコルの階層は、プロセッサにより実現されることができる。メモリ１７２２は、プロセッサと連結されて、プロセッサを駆動するための様々な情報を格納する。ＲＦモジュール１７２３は、プロセッサと連結されて、無線信号を送信及び／又は受信する。
【０３３５】
メモリ１７１２、１７２２は、プロセッサ１７１１、１７２１の内部または外部にありうるし、よく知られた様々な手段によりプロセッサ１７１１、１７２１と連結されることができる。
【０３３６】
また、基地局１７１０及び／又は端末１７２０は、１個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０３３７】
図１８は、本発明の一実施形態に係る通信装置のブロック構成図を例示する。
【０３３８】
特に、図１８は、先に図１７の端末をより詳細に例示する図である。
【０３３９】
図１８に示すように、端末は、プロセッサ（または、デジタル信号プロセッサ（ＤＳＰ：ｄｉｇｉｔａｌ  ｓｉｇｎａｌ  ｐｒｏｃｅｓｓｏｒ）１８１０、ＲＦモジュール（ＲＦ  ｍｏｄｕｌｅ）（または、ＲＦユニット）１８３５、パワー管理モジュール（ｐｏｗｅｒ  ｍａｎａｇｅｍｅｎｔ  ｍｏｄｕｌｅ）１８０５、アンテナ（ａｎｔｅｎｎａ）１８４０、バッテリ（ｂａｔｔｅｒｙ）１８５５、ディスプレイ（ｄｉｓｐｌａｙ）１８１５、キーパッド（ｋｅｙｐａｄ）１８２０、メモリ（ｍｅｍｏｒｙ）１８３０、シムカード（ＳＩＭ（Ｓｕｂｓｃｒｉｂｅｒ  Ｉｄｅｎｔｉｆｉｃａｔｉｏｎ  Ｍｏｄｕｌｅ）  ｃａｒｄ）１８２５（この構成は、選択的である）、スピーカ（ｓｐｅａｋｅｒ）１８４５、及びマイクロホン（ｍｉｃｒｏｐｈｏｎｅ）１８５０を備えて構成されることができる。端末は、さらに、単一のアンテナまたは多重のアンテナを備えることができる。
【０３４０】
プロセッサ１８１０は、先に図６〜図１５において提案された機能、過程、及び／又は方法を実現する。無線インターフェースプロトコルの階層は、プロセッサにより実現されることができる。
【０３４１】
メモリ１８３０は、プロセッサと連結され、プロセッサの動作と関連した情報を格納する。メモリ１８３０は、プロセッサの内部または外部にありうるし、よく知られた様々な手段によりプロセッサと連結されることができる。
【０３４２】
ユーザは、例えば、キーパッド１８２０のボタンを押すか（あるいは、タッチするか）またはマイクロホン１８５０を用いた音声駆動（ｖｏｉｃｅ  ａｃｔｉｖａｔｉｏｎ）により電話番号などのような命令情報を入力する。プロセッサは、このような命令情報を受信し、電話番号にて電話をかけるなど、適切な機能を果たすように処理する。駆動上のデータ（ｏｐｅｒａｔｉｏｎａｌ  ｄａｔａ）は、シムカード１８２５またはメモリ１８３０から抽出することができる。また、プロセッサは、ユーザが認知し、さらに、便宜のために、命令情報または駆動情報をディスプレイ１８１５上にディスプレイすることができる。
【０３４３】
ＲＦモジュール１８３５は、プロセッサに連結されて、ＲＦ信号を送信及び／又は受信する。プロセッサは、通信を開始するために、例えば、音声通信データを構成する無線信号を送信するように命令情報をＲＦモジュールに伝達する。ＲＦモジュールは、無線信号を受信及び送信するために、受信機（ｒｅｃｅｉｖｅｒ）及び送信機（ｔｒａｎｓｍｉｔｔｅｒ）で構成される。アンテナ１８４０は、無線信号を送信及び受信する機能をする。無線信号を受信するとき、ＲＦモジュールは、プロセッサにより処理するために信号を伝達し、基底帯域に信号を変換できる。処理された信号は、スピーカ１８４５を介して出力される可聴または可読情報に変換されることができる。
【０３４４】
図１９は、本明細書において提案する方法が適用され得る無線通信装置のＲＦモジュールの一例を示した図である。
【０３４５】
具体的に、図１９は、ＦＤＤ（Ｆｒｅｑｕｅｎｃｙ  Ｄｉｖｉｓｉｏｎ  Ｄｕｐｌｅｘ）システムで実現されることができるＲＦモジュールの一例を示す。
【０３４６】
まず、送信経路で、図１７及び図１８において記述されたプロセッサは、送信されるデータをプロセシングしてアナログ出力信号を送信機１９１０に提供する。
【０３４７】
送信機１９１０内で、アナログ出力信号は、デジタル−対−アナログ変換（ＡＤＣ）により引き起こされるイメージを除去するために、低域通過フィルタ（Ｌｏｗ  Ｐａｓｓ  Ｆｉｌｔｅｒ、ＬＰＦ）１９１１によりフィルタリングされ、上向き変換機（Ｍｉｘｅｒ、１９１２）により基底帯域からＲＦに上向き変換され、可変利得増幅器（Ｖａｒｉａｂｌｅ  Ｇａｉｎ  Ａｍｐｌｉｆｉｅｒ、ＶＧＡ）１９１３により増幅され、増幅された信号は、フィルタ１９１４によりフィルタリングされ、電力増幅器（Ｐｏｗｅｒ  Ａｍｐｌｉｆｉｅｒ、ＰＡ）１８１５により追加に増幅され、デュプレクサ（等）１９５０／アンテナスイッチ（等）１９６０を介してルーティングされ、アンテナ１９７０を介して送信される。
【０３４８】
また、受信経路で、アンテナ１９７０は、外部から信号等を受信して、受信された信号を提供し、この信号等は、アンテナスイッチ（等）１９６０／デュプレクサ１９５０を介してルーティングされ、受信機１９２０に提供される。
【０３４９】
受信機１９２０内で、受信された信号等は、低雑音増幅器（Ｌｏｗ  Ｎｏｉｓｅ  Ａｍｐｌｉｆｉｅｒ、ＬＮＡ）１９２３により増幅され、帯域通過フィルタ１９２４によりフィルタリングされ、下向き変換機（Ｍｉｘｅｒ、１９２５）によりＲＦから基底帯域に下向き変換される。
【０３５０】
前記下向き変換された信号は、低域通過フィルタ（ＬＰＦ、１９２６）によりフィルタリングされ、ＶＧＡ（１９２７）により増幅されて、アナログ入力信号を取得し、これは、図１７及び図１８において記述されたプロセッサに提供される。
【０３５１】
また、ローカルオシレータ（ｌｏｃａｌ  ｏｓｃｉｌｌａｔｏｒ、ＬＯ）発生器１９４０は、送信及び受信ＬＯ信号を発生及び上向き変換機１９１２及び下向き変換機１９２５に各々提供する。
【０３５２】
また、位相固定ループ（Ｐｈａｓｅ  Ｌｏｃｋｅｄ  Ｌｏｏｐ、ＰＬＬ）１９３０は、適切な周波数で送信及び受信ＬＯ信号を生成するために、プロセッサから制御情報を受信し、制御信号をＬＯ発生器１８４０に提供する。
【０３５３】
また、図１９に示された回路は、図１９に示された構成と異なるように配列されることもできる。
【０３５４】
図２０は、本明細書において提案する方法が適用され得る無線通信装置のＲＦモジュールのさらに他の一例を示した図である。
【０３５５】
具体的に、図２０は、ＴＤＤ（Ｔｉｍｅ  Ｄｉｖｉｓｉｏｎ  Ｄｕｐｌｅｘ）システムで実現されることができるＲＦモジュールの一例を示す。
【０３５６】
ＴＤＤシステムにおけるＲＦモジュールの送信機２０１０及び受信機２０２０は、ＦＤＤシステムにおけるＲＦモジュールの送信機及び受信機の構造と同様である。
【０３５７】
以下、ＴＤＤシステムのＲＦモジュールは、ＦＤＤシステムのＲＦモジュールと差が生じる構造についてのみ説明し、同じ構造については、図１９の説明を参照する。
【０３５８】
送信機の電力増幅器（Ｐｏｗｅｒ  Ａｍｐｌｉｆｉｅｒ、ＰＡ）２０１５により増幅された信号は、バンド選択スイッチ（Ｂａｎｄ  Ｓｅｌｅｃｔ  Ｓｗｉｔｃｈ、１９５０）、帯域通過フィルタ（ＢＰＦ、２０６０）、及びアンテナスイッチ（等）１９７０を介してルーティングされ、アンテナ２０８０を介して送信される。
【０３５９】
また、受信経路で、アンテナ２０８０は、外部から信号を受信し、受信された信号を提供し、この信号は、アンテナスイッチ（等）２０７０、帯域通過フィルタ２０６０、及びバンド選択スイッチ２０５０を介してルーティングされ、受信機２０２０に提供される。
【０３６０】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０３６１】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のASICs（application specific integrated circuits）、DSPs（digital signal processors）、DSPDs（digital signal processing devices）、PLDs（programmable logic devices）、FPGAs（field programmable gate arrays）、プロセッサ、コントローラー、マイクロコントローラー、マイクロプロセッサなどにより具現できる。
【０３６２】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０３６３】
本発明は本発明の必須的な特徴を逸脱しない範囲で他の特定の形態に具体化できることは通常の技術者に自明である。したがって、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０３６４】
本発明の無線通信システムにおけるビーム管理方法は、３ＧＰＰ  ＬＴＥ／ＬＴＥ−Ａシステム、５Ｇシステム（Ｎｅｗ  Ｒａｔシステム）に適用される例を中心に説明したが、その他にも、様々な無線通信システムに適用することが可能である。
【図１】
2019535155.tif 000044
【図２】
2019535155.tif 000045
【図３】
2019535155.tif 000046
【図４】
2019535155.tif 000047
【図５】
2019535155.tif 000048
【図６（ａ）】
2019535155.tif 000049
【図６（ｂ）】
2019535155.tif 000050
【図７（ａ）】
2019535155.tif 000051
【図７（ｂ）】
2019535155.tif 000052
【図８（ａ）】
2019535155.tif 000053
【図８（ｂ）】
2019535155.tif 000054
【図９】
2019535155.tif 000055
【図１０】
2019535155.tif 000056
【図１１（ａ）】
2019535155.tif 000057
【図１１（ｂ）】
2019535155.tif 000058
【図１２（ａ）】
2019535155.tif 000059
【図１２（ｂ）】
2019535155.tif 000060
【図１３】
2019535155.tif 000061
【図１４】
2019535155.tif 000062
【図１５（ａ）】
2019535155.tif 000063
【図１５（ｂ）】
2019535155.tif 000064
【図１６】
2019535155.tif 000065
【図１７】
2019535155.tif 000066
【図１８】
2019535155.tif 000067
【図１９】
2019535155.tif 000068
【図２０】
2019535155.tif 000069
【国際調査報告】
2019535155.tif 000070
2019535155.tif 000071
2019535155.tif 000072
2019535155.tif 000073